(57)【要約】本発明は、近隣通信サービスの実現方法及び装置を開示し、通信技術に係るものであり、ＵＥの近隣通信サービスの実現に用いられる。前記方法は、ユーザ機器ＵＥから送信される近隣通信サービス要求を受信することと、前記ＵＥから送信される近隣通信サービス要求に基づいて、前記ＵＥが近隣通信サービス契約時に取得する近隣通信サービスＩＤを確定することと、前記ＵＥの近隣通信サービスＩＤに基づいて、近隣通信サービスを実現することとを含む。よって、ネットワークにおいてユーザのアプリケーションレイヤＩＤに基づいてＵＥの３ＧＰＰネットワーク内ＩＤを確定できず近隣通信サービスができないことが避けられ、ＵＥの近隣通信サービスが実現される。【選択図】図４
2016515780.tif 000002
【特許請求の範囲】
【請求項１】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することと
を含むことを特徴とする近隣通信サービスの実現方法。
【請求項２】
前記ＵＥから送信される近隣通信サービス要求に基づいて、前記ＵＥが近隣通信サービス契約時に取得する近隣通信サービスＩＤを確定することは、具体的に、
ＵＥから送信される近隣通信サービス要求に付帯される近隣通信サービスＩＤを取得すること、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定すること
を含むことを特徴とする請求項１に記載の方法。
【請求項３】
前記ＵＥが近隣通信サービス契約時に取得する近隣通信サービスＩＤは、ＵＥの契約情報とバインディングされ、ＵＥの契約情報に格納されることを特徴とする請求項１に記載の方法。
【請求項４】
ユーザ機器ＵＥから送信される近隣通信サービス要求を受信することは、具体的に、
アプリケーションサーバは、ＵＥから特定のアプリケーションにより送信される近隣通信サービス要求を受信することを含み、
前記ＵＥの近隣通信サービスＩＤに基づいて、近隣通信サービスを実現することは、具体的に、
アプリケーションサーバは、前記ＵＥの近隣通信サービスＩＤに基づいて、対応する近隣通信サーバを選択して当該ＵＥの近隣通信サービスを実現させることを含むことを特徴とする請求項１に記載の方法。
【請求項５】
前記アプリケーションサーバは、ＵＥから具体特定のアプリケーションにより送信される近隣通信サービス要求を受信することは、具体的に、
アプリケーションサーバは、ＵＥから特定のアプリケーションにより送信される近隣ユーザ探索の要求を受信することを含み、
前記ＵＥの近隣通信サービスＩＤに基づいて、近隣通信サービスを実現することは、具体的に、
アプリケーションサーバは、
前記ＵＥの位置又は登録されたＩＰアドレスに基づいて、設定範囲内のユーザを探索し、探索したユーザのユーザＩＤを確定すること、又は、受信した近隣ユーザ探索の要求に基づいて、探索されるユーザのユーザＩＤを確定することと、
前記ユーザＩＤに基づいて、探索したユーザの近隣通信サービスＩＤを確定することと、
前記ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信することと、
前記発見結果を前記ＵＥに送信することと
を含むことを特徴とする請求項４に記載の方法。
【請求項６】
前記アプリケーションサーバは、ＵＥから特定のアプリケーションにより送信される近隣通信サービス要求を受信することは、具体的に、
アプリケーションサーバは、ＵＥから特定のアプリケーションにより送信される近隣通信サービス確立要求を受信することを含み、
前記ＵＥの近隣通信サービスＩＤに基づいて、近隣通信サービスを実現することは、具体的に、
アプリケーションサーバは、
相手ＵＥのユーザＩＤに基づいて、対応する近隣通信サービスＩＤを確定することと、
前記ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立することと、
当該ＵＥの近隣通信サービスサーバから返信される近隣通信接続確立成功メッセージを受信することと、
近隣通信接続確立成功メッセージを端末に返信することと
を含むことを特徴とする請求項４に記載の方法。
【請求項７】
当該ＵＥの近隣通信サービスサーバにより、当該ＵＥと相手ＵＥの間で近隣通信接続の確立条件が満たされると確定することは、具体的に、
当該ＵＥの近隣通信サービスサーバは、当該ＵＥと相手ＵＥの間で近隣通信接続が確立されていると確定すること、
又は、
当該ＵＥの近隣通信サービスサーバは、ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバにより、相手ＵＥが近隣通信サービス確立権限を有すると確定してから、相手ＵＥの位置情報を当該ＵＥの近隣通信サービスサーバに返信し、当該ＵＥの近隣通信サービスサーバにより、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項６に記載の方法。
【請求項８】
当該ＵＥの近隣通信サービスサーバにより、近隣通信接続の確立に必要とする資源を当該ＵＥと相手ＵＥに割り当てるようにネットワークに要求して近隣通信接続を確立することは、具体的に、
当該ＵＥの近隣通信サービスサーバは、当該ＵＥの所属する移動管理実体ＭＭＥに近隣通信サービス接続要求を送信し、当該ＵＥの所属するＭＭＥにより、近隣通信接続の確立に必要とする資源を当該ＵＥに割り当てるようにネットワークに要求し、割り当てられる近隣通信接続確立用情報を当該ＵＥの近隣通信サービスサーバに返信し、当該ＵＥの近隣通信サービスサーバにより、当該ＵＥに割り当てられる近隣通信接続確立用情報が付帯される近隣通信サービス接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立すること
を含むことを特徴とする請求項６に記載の方法。
【請求項９】
ＵＥから送信される近隣通信サービス要求を受信することは、具体的に、
近隣通信サービスサーバは、
ＵＥから送信される近隣通信サービス要求を受信すること、又は、ＭＭＥがＵＥから送信される近隣通信サービス要求を受信してから転送する近隣通信サービス要求を受信すること
を含み、
前記ＵＥの近隣通信サービスＩＤに基づいて、近隣通信サービスＩＤを実現することは、具体的に、
前記近隣通信サービスサーバは、
前記ＵＥの近隣通信サービスＩＤに基づいて、当該ＵＥの近隣通信サービスを実現することを含むことを特徴とする請求項１に記載の方法。
【請求項１０】
前記近隣通信サービスサーバは、ＵＥから直接送信される近隣通信サービス要求を受信することは、具体的に、
前記近隣通信サービスサーバは、
ＵＥから送信され、当該ＵＥの近隣通信サービスＩＤ、相手ＵＥの近隣通信サービスＩＤ、及び探索開始用アプリケーションＩＤが付帯されるユーザ探索要求を受信することを含み、
前記近隣通信サービスサーバは、前記ＵＥの近隣通信サービスＩＤに基づいて、当該ＵＥの近隣通信サービスを実現することは、具体的に、
近隣通信サービスサーバは、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信することと、
２つの端末の位置に基づいて、相手ＵＥの被発見可否の確定後に、前記ＵＥに発見結果を返信することと
を含むことを特徴とする請求項９に記載の方法。
【請求項１１】
前記近隣通信サービスサーバは、ＵＥから直接送信される近隣通信サービス要求を受信することは、具体的に、
前記近隣通信サービスサーバは、ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信することを含み、
前記近隣通信サービスサーバは、前記ＵＥの近隣通信サービスＩＤに基づいて当該ＵＥの近隣通信サービスを実現することは、具体的に、
近隣通信サービスサーバは、
相手ＵＥのアプリケーションレイヤのユーザＩＤに基づいて、ＤＮＳ（Ｄｏｍａｉｎ  Ｎａｍｅ  Ｓｅｒｖｅｒ）  Ｓｅｒｖｅｒに照会し、又は、アプリケーションＩＤで示すアプリケーションサーバに基づいて、相手ＵＥの近隣通信サービスＩＤを取得することと、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信することと、
２つの端末の位置に基づいて、相手ＵＥの被発見可否の確定後に、前記ＵＥに発見結果を返信することと
を含むことを特徴とする請求項９に記載の方法。
【請求項１２】
前記近隣通信サービスサーバは、ＵＥから送信される近隣通信サービス要求を受信することは、具体的に、
前記近隣通信サービスサーバは、ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信することを含み、
前記近隣通信サービスサーバは、前記ＵＥの近隣通信サービスＩＤに基づいて当該ＵＥの近隣通信サービスを実現することは、具体的に、
近隣通信サービスサーバは、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信することと、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立することと、
近隣通信接続確立成功メッセージをＵＥに返信することと
を含むことを特徴とする請求項９に記載の方法。
【請求項１３】
前記近隣通信サービスサーバは、ＵＥから直接送信される近隣通信サービス確立要求を受信することは、具体的に、
前記近隣通信サービスサーバは、
ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信することを含み、
前記近隣通信サービスサーバは、前記ＵＥの近隣通信サービスＩＤに基づいて、当該ＵＥの近隣通信サービスを実現することは、具体的に、
近隣通信サービスサーバは、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得することと、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信することと、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立することと、
近隣通信接続確立成功メッセージをＵＥに返信することと
を含むことを特徴とする請求項９に記載の方法。
【請求項１４】
前記近隣通信サービスサーバにより、当該ＵＥと相手ＵＥの間で近隣通信接続の確立条件が満たされると確定することは、具体的に、
前記近隣通信サービスサーバは、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項１２又は１３に記載の方法。
【請求項１５】
前記近隣通信サービスサーバにより、近隣通信接続の確立に必要とする資源を当該ＵＥと相手ＵＥに割り当てるようにネットワークに要求して近隣通信接続を確立することは、具体的に、
前記近隣通信サービスサーバは、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することと
を含むことを特徴とする請求項１２又は１３に記載の方法。
【請求項１６】
ユーザ機器ＵＥから送信される近隣通信サービス要求を受信するための受信ユニットと、
前記ＵＥから送信される近隣通信サービス要求に基づいて、前記ＵＥが近隣通信サービス契約時に取得する近隣通信サービスＩＤを確定するための確定ユニットと、
前記ＵＥの近隣通信サービスＩＤに基づいて、近隣通信サービスを実現するための処理ユニットと
を含むことを特徴とする近隣通信サービスの実現装置。
【請求項１７】
前記確定ユニットは、具体的に、
ＵＥから送信される近隣通信サービス要求に付帯される近隣通信サービスＩＤを取得し、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定することを特徴とする請求項１６に記載の装置。
【請求項１８】
前記ＵＥが近隣通信サービス契約時に取得する近隣通信サービスＩＤは、ＵＥの契約情報とバインディングされ、ＵＥの契約情報に格納されることを特徴とする請求項１６に記載の装置。
【請求項１９】
前記装置が特定のアプリケーションサーバである場合に、前記受信ユニットは、具体的に、
ＵＥから特定のアプリケーションにより送信される近隣通信サービス要求を受信し、
前記処理ユニットは、具体的に、
前記ＵＥの近隣通信サービスＩＤに基づいて、対応する近隣通信サーバを選択して当該ＵＥの近隣通信サービスを実現させることを特徴とする請求項１６に記載の装置。
【請求項２０】
前記受信ユニットは、具体的に、
ＵＥから特定のアプリケーションにより送信される近隣ユーザ探索の要求を受信し、
前記処理ユニットは、具体的に、
前記ＵＥの位置又は登録されたＩＰアドレスに基づいて、設定範囲内のユーザを探索し、探索したユーザのユーザＩＤを確定し、又は、受信した近隣ユーザ探索の要求に基づいて、探索されるユーザのユーザＩＤを確定し、
前記ユーザＩＤに基づいて、探索したユーザの近隣通信サービスＩＤを確定し、
前記ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信し、
前記発見結果を前記ＵＥに送信することを特徴とする請求項１９に記載の装置。
【請求項２１】
前記受信ユニットは、具体的に、
ＵＥから特定のアプリケーションにより送信される近隣通信サービス確立要求を受信し、
前記処理ユニットは、具体的に、
相手ＵＥのユーザＩＤに基づいて、対応する近隣通信サービスＩＤを確定し、
前記ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立し、
当該ＵＥの近隣通信サービスサーバから返信される近隣通信接続確立成功メッセージを受信し、
近隣通信接続確立成功メッセージを端末に返信することを特徴とする請求項１９に記載の装置。
【請求項２２】
前記装置が近隣通信サービスサーバである場合に、前記受信ユニットは、具体的に、
ＵＥから送信される近隣通信サービス要求を受信し、又は、ＭＭＥ／ＳＧＳＮがＵＥから送信される近隣通信サービス要求を受信してから転送する近隣通信サービス要求を受信し、
前記処理ユニットは、具体的に、
前記ＵＥの近隣通信サービスＩＤに基づいて、当該ＵＥの近隣通信サービスを実現することを特徴とする請求項１６に記載の装置。
【請求項２３】
前記受信ユニットは、具体的に、
ＵＥから送信され、当該ＵＥの近隣通信サービスＩＤ、相手ＵＥの近隣通信サービスＩＤ、及び探索開始用アプリケーションＩＤが付帯されるユーザ探索要求を受信し、
前記処理ユニットは、具体的に、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信することを特徴とする請求項２２に記載の装置。
【請求項２４】
前記受信ユニットは、具体的に、
ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信し、
前記処理ユニットは、具体的に、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信することを特徴とする請求項２２に記載の装置。
【請求項２５】
前記受信ユニットは、具体的に、
ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信し、
前記処理ユニットは、具体的に、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信することを特徴とする請求項２２に記載の装置。
【請求項２６】
前記受信ユニットは、具体的に、
ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信し、
前記処理ユニットは、具体的に、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信することを特徴とする請求項２２に記載の装置。
【請求項２７】
前記処理ユニットは、当該ＵＥと相手ＵＥの間で近隣通信接続の確立条件が満たされると確定することは、具体的に、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項２５又は２６に記載の装置。
【請求項２８】
前記処理ユニットは、近隣通信接続の確立に必要とする資源を当該ＵＥと相手ＵＥに割り当てるようにネットワークに要求して近隣通信接続を確立することは、具体的に、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することと
を含むことを特徴とする請求項２５又は２６に記載の装置。
【請求項２９】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することを実行するためのコンピュータプログラムが配置されるプロセッサと、
当該コンピュータプログラムのコードを格納するためのメモリと
を含むことを特徴とする近隣通信サービスの実現装置。
【請求項３０】
前記プロセッサは、具体的に、
ＵＥから送信される近隣通信サービス要求に付帯される近隣通信サービスＩＤを取得し、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定することを特徴とする請求項２９に記載の装置。
【請求項３１】
前記ＵＥが近隣通信サービス契約時に取得する近隣通信サービスＩＤは、ＵＥの契約情報とバインディングされ、ＵＥの契約情報に格納されることを特徴とする請求項２９に記載の装置。
【請求項３２】
前記装置が特定のアプリケーションサーバである場合に、前記プロセッサは、具体的に、
ＵＥから特定のアプリケーションにより送信される近隣通信サービス要求を受信し、
前記ＵＥの近隣通信サービスＩＤに基づいて、対応する近隣通信サーバを選択して当該ＵＥの近隣通信サービスを実現させることを特徴とする請求項２９に記載の装置。
【請求項３３】
前記プロセッサは、具体的に、
ＵＥから特定のアプリケーションにより送信される近隣ユーザ探索の要求を受信し、
前記ＵＥの位置又は登録されたＩＰアドレスに基づいて、設定範囲内のユーザを探索し、探索したユーザのユーザＩＤを確定し、又は、受信した近隣ユーザ探索の要求に基づいて、探索されるユーザのユーザＩＤを確定し、
前記ユーザＩＤに基づいて、探索したユーザの近隣通信サービスＩＤを確定し、
前記ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信し、
前記発見結果を前記ＵＥに送信することを特徴とする請求項３２に記載の装置。
【請求項３４】
前記プロセッサは、具体的に、
ＵＥから特定のアプリケーションにより送信される近隣通信サービス確立要求を受信し、
前記プロセッサは、具体的に、
相手ＵＥのユーザＩＤに基づいて、対応する近隣通信サービスＩＤを確定し、
前記ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立し、
当該ＵＥの近隣通信サービスサーバから返信される近隣通信接続確立成功メッセージを受信し、
近隣通信接続確立成功メッセージを端末に返信することを特徴とする請求項３２に記載の装置。
【請求項３５】
前記装置が近隣通信サービスサーバである場合に、前記プロセッサは、具体的に、
ＵＥから送信される近隣通信サービス要求を受信し、又は、ＭＭＥ／ＳＧＳＮがＵＥから送信される近隣通信サービス要求を受信してから転送する近隣通信サービス要求を受信し、
前記ＵＥの近隣通信サービスＩＤに基づいて、当該ＵＥの近隣通信サービスを実現することを特徴とする請求項２９に記載の装置。
【請求項３６】
前記プロセッサは、具体的に、
ＵＥから送信され、当該ＵＥの近隣通信サービスＩＤ、相手ＵＥの近隣通信サービスＩＤ、及び探索開始用アプリケーションＩＤが付帯されるユーザ探索要求を受信し、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信することを特徴とする請求項３５に記載の装置。
【請求項３７】
前記プロセッサは、具体的に、
ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信し、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信することを特徴とする請求項３５に記載の装置。
【請求項３８】
前記プロセッサは、具体的に、
ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信し、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信することを特徴とする請求項３５に記載の装置。
【請求項３９】
前記プロセッサは、具体的に、
ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信し、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信することを特徴とする請求項３５に記載の装置。
【請求項４０】
前記プロセッサは、当該ＵＥと相手ＵＥの間で近隣通信接続の確立条件が満たされると確定することは、具体的に、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項３８又は３９に記載の装置。
【請求項４１】
前記プロセッサは、近隣通信接続の確立に必要とする資源を当該ＵＥと相手ＵＥに割り当てるようにネットワークに要求して近隣通信接続を確立することは、具体的に、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することと
を含むことを特徴とする請求項３８又は３９に記載の装置。
【発明の詳細な説明】
【技術分野】
【０００１】
本願は、２０１３年４月１日に中国特許庁に提出した出願番号が２０１３１０１１１４８３．８であり、発明名称が「近隣通信サービスの実現方法及び装置」である中国特許出願の優先権を主張し、その全ての内容が援用により本願に取り込まれる。
【０００２】
本発明は、通信技術に係るものであり、特に、近隣通信サービスの実現方法及び装置に係るものである。
【背景技術】
【０００３】
現在、第３世代移動体通信システムの標準化プロジェクト３ＧＰＰ（３ｒｄ  Ｇｅｎｅｒａｔｉｏｎ  Ｐａｒｔｎｅｒｓｈｉｐ  Ｐｒｏｊｅｃｔ）では、デバイスとデバイスの間の近隣通信問題が検討されている。その主な応用シーンとして、通信を行うデバイスの距離が比較的近い場合に、デバイスとデバイスの間のアプリケーションレイヤデータは、移動通信ネットワークを介さずに、２つのデバイスの間で直接伝送され、または、コアネットワークを介さずに、デバイスに接続するサービス基地局により転送されることが期待される。この目的を最終的に実現するために、ネットワークレイヤによる近隣関係の発見と近隣通信の確立をアプリケーションレイヤからどのように触発することや、アプリケーションレイヤのユーザサービスＩＤがどのようにネットワークレイヤＩＤに関連付けられる問題についても、検討が必要である。
【０００４】
現在３ＧＰＰにおいて定義されている２つのデバイス間の通信プロセスは、そのデータトンネルが図１に示されている。データは、ＵＥ１から、通信する進化型基地局ｅＮＢ（ｅｖｏｌｖｅｄ  Ｎｏｄｅ  Ｂ）に送信され、ｅＮＢから、通信するコアネットワーク設備であるＳＧＷ（Ｓｅｒｖｉｎｇ  Ｇａｔｅ‐Ｗａｙ）とＰＧＷ（Ｐａｃｋｔｅ  Ｄａｔａ  Ｎｅｔｗｏｒｋ‐Ｇａｔｅ  Ｗａｙ）に伝達される。ＰＧＷは、ＵＥのルーティング表示に基づいて、データをＵＥ１と通信するＰＧＷとＳｅｒｖｉｎｇ  ＧＷにルーティングする。ＵＥ２と通信するＳｅｒｖｉｎｇ  ＧＷは、データをＵＥ２と通信するｅＮＢに伝達し、ｅＮＢを介してＵＥ２に伝達する。図１に示す例は、ＵＥ１、ＵＥ２と通信するＳｅｒｖｉｎｇ  ＧＷとＰＧＷが同一である場合のシーンである。この場合に、ＵＥ１と通信するＰＧＷから、ＵＥ２と通信するＰＧＷへのデータ・ルーティングが省略されている。
【０００５】
図１によると、通信する２つの端末間の位置が非常に近くても、通信データが相手側に到着するには、それぞれの端末と通信するｅＮＢ、コアネットワークを介する必要があり、通信の遅延が非常に大きく、しかもネットワークの資源がかかる。従って、３ＧＰＰにおいて、通信双方の距離が非常に近い場合に、２つのＵＥ間の直接通信が実現でき、又はｅＮＢのみを介した伝達で快速な通信が実現できる近隣デバイス間の通信技術が検討されている。
【０００６】
図２ａと図２ｂは、近隣通信実現後、端末間のデータ伝送路を示す図面である。図２ａと図２ｂに示すように、ＵＥ１とＵＥ２は、移動ネットワークデバイスを介する必要なしに直接伝送できる。又は、２つのＵＥが同一ｅＮＢに接続されると、通信するｅＮＢによりデータを転送でき、データをコアネットワークを介してルーティングする必要がない。このような伝送方式は、データ伝送の遅延が減少でき、しかもネットワーク資源、特にコアネットワークのネットワーク資源が節約できる。
【０００７】
現在、３ＧＰＰ  ＳＡ１において、近隣通信のニーズが検討されている。検討結果によると、近隣通信は、端末間の近隣関係発見プロセスと、近隣ＵＥによる直接通信の２種類の問題に大別される。
【０００８】
端末間の近隣関係発見プロセスは、近隣端末による直接通信の実現前提であるのみならず、多くの応用シーンがある。例えば、近隣関係検出により、店舗から通行人の端末にセールス／ディスカウント広告を送信できることや、近隣関係発見機能により、ユーザが現在位置近くのレストランやスーパーなどの情報を探索できることや、近隣関係発見機能により、バス停からバスの駅到着情報を予報できるなどがある。
【０００９】
ＵＥ間の直接通信は、相変らずネットワークによる制御が必要であり、しかも近隣通信サービス（ＰｒｏＳｅ）通信用の資源がネットワークにより決められる。従って、ＵＥと通信するｅＮＢは、ＭＭＥ（Ｍｏｂｉｌｅ  Ｍａｎａｇｅｍｅｎｔ  Ｅｎｔｉｔｙ）との間でも、情報のインタラクションが行われる。近隣通信を実行する２つのＵＥが異なるｅＮＢに駐留すると、コアネットワークは、当該２つのＵＥが駐留するｅＮＢとそれぞれシグナリングのインタラクションを行う可能性もある。
【００１０】
３ＧＰＰは、近隣関係発見制限シーンを定義している。具体的に以下のように記述される。
あるサービスに対して、近隣サービス特性が使用できることを事業者から授権すると、あるユーザが近隣サービス使用可の端末を持てば、同様機能ＵＥを持つ友人が近くの位置にいると発見でき、同時にその友人に発見される。
【００１１】
ＳＮＳ（Ｓｏｃｉａｌ  Ｎｅｔｗｏｒｋｉｎｇ  Ｓｅｒｖｉｃｅｓ）アプリは、近隣サービス特性を使用できる。
たとえば、Ｍａｒｙ、Ｐｅｔｅｒ、ＪｏｈｎがあるＳＮＳアプリを使用し、そのアプリケーションレイヤにより維持されるコンテキストには、以下の関係情報が表示される。
ＭａｒｙとＪｏｈｎは、友人である。
ＪｏｈｎとＰｅｔｅｒ、友人である。
ＭａｒｙとＰｅｔｅｒ、友人ではない。
【００１２】
仮にＭａｒｙ、Ｐｅｔｅｒ、Ｊｏｈｎの３人が近隣サービス特性を有する端末を使用し、同一のセルラーネットワーク事業者と契約し、しかも近隣サービス特性の使用が事業者から許可される。
【００１３】
このようなシーンの場合に、下記機能を実現する必要がある。
ＭａｒｙのＵＥは、Ｊｏｈｎが近隣位置にいると発見できる。
ＪｏｈｎのＵＥは、Ｍａｒｙが近隣位置にいると発見できる。
ＭａｒｙのＳＮＳアプリは、その近隣位置にＪｏｈｎがいるか分かる。
ＪｏｈｎのＳＮＳアプリは、その近隣位置にＭａｒｙがいるか分かる。
ＰｅｔｅｒのＵＥは、その近隣位置にＭａｒｙのＵＥがあると発見できない。
ＭａｒｙのＳＮＳアプリは、その近隣位置にＰｅｔｅｒがいるか検出できない。
ＰｅｔｅｒのＳＮＳアプリは、その近隣位置にＭａｒｙがいるか検出できない。
【００１４】
従って、この特性は、友人同士にしかその近隣関係を互いに発見できないことが求められる。アプリケーションレイヤにより友人関係ではないと示すと、その近隣関係を互いに発見できない。
【００１５】
同時に、事業者は、ＵＥ間の近隣関係発見特性を制御することもできる。近隣関係発見機能を有するＵＥに対して、ポリシーとユーザ選択により、当該ＵＥに以下のように特性を設定できる。
近隣の他ＵＥの発見ができるが、他人からの発見ができない。
他ＵＥからの発見ができるが、他人の発見ができない。
他ＵＥの発見ができ、他ＵＥからの発見もできる。
他ＵＥからの発見ができなく、他ＵＥの発見もできない。
【００１６】
近隣発見プロセスでは、ＵＥは、他人からの発見可と設定されるＵＥしか発見できない。
【００１７】
現在、３ＧＰＰでは、近隣通信サービスのニーズを定義し、アプリケーションレイヤからの誘引により、近隣関係発見と近隣通信接続の確立を含む近隣通信サービスを引き起こすことを端末に要求する。このニーズは、端末の近隣関係契約情報、ネットワーク設定及びアプリケーションレイヤのユーザ関係などの要素に関係する。端末上のアプリケーションの多様性により、アプリケーションレイヤのＩＤも多くて複雑であるため、３ＧＰＰネットワークにおいて、ＵＥ上の全てのアプリケーションレイヤＩＤをＵＥの３ＧＰＰネットワーク内ＩＤと関連付けることができない。また、アプリケーションレイヤとネットワークレイヤとは互いに独立するものであり、ユーザが端末Ａで１つのアプリケーションに登録できるし、端末Ｂでこのアプリケーションに登録することもできるため、３ＧＰＰネットワークにおいて、ユーザのアプリケーションレイヤＩＤとＵＥの３ＧＰＰネットワーク内ＩＤとの関連関係の維持が難しい。
【００１８】
上記理由により、ＵＥ上のアプリケーションが近隣関係発見と近隣通信接続の確立を含む近隣通信サービスの使用を必要とする場合に、ネットワークにおいて、ユーザのアプリケーションレイヤＩＤに基づいてＵＥの３ＧＰＰのネットワーク内ＩＤを確定できないため、近隣通信サービスができない。
【発明の概要】
【００１９】
本発明の実施例は、ＵＥの近隣通信サービスを実現する近隣通信サービスの実現方法及び装置を提供する。
【００２０】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することと
を含む近隣通信サービスの実現方法。
【００２１】
ユーザ機器ＵＥから送信される近隣通信サービス要求を受信するための受信ユニットと、
前記ＵＥから送信される近隣通信サービス要求に基づいて、前記ＵＥが近隣通信サービス契約時に取得する近隣通信サービスＩＤを確定するための確定ユニットと、
前記ＵＥの近隣通信サービスＩＤに基づいて、近隣通信サービスを実現するための処理ユニットと
を含む近隣通信サービスの実現装置。
【００２２】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することを実行するためのコンピュータプログラムが配置されるプロセッサと、
当該コンピュータプログラムのコードを格納するためのメモリと
を含む近隣通信サービスの実現装置。
【発明の効果】
【００２３】
本発明の実施例は、近隣通信サービスの実現方法及び装置を提供する。ＵＥが契約するときに、近隣通信サービスＩＤがＵＥに割り当てられる。このように、ＵＥから送信される近隣通信サービス要求の受信後に、前記ＵＥから送信される近隣通信サービス要求に基づいて、ＵＥの近隣通信サービスＩＤが確定され、それからＵＥの近隣通信サービスＩＤに基づいて近隣通信サービスが実現されることにより、ネットワークにおいてユーザのアプリケーションレイヤＩＤに基づいてＵＥの３ＧＰＰネットワーク内ＩＤを確定できず近隣通信サービスができないことが避けられ、ＵＥの近隣通信サービスが実現される。
【図面の簡単な説明】
【００２４】
【図１】従来技術におけるデバイス間通信のデータトンネルを示す図面である。
【図２】ａとｂは、従来技術における近隣通信路を示す図面である。
【図３】本発明の実施例における近隣通信のアーキテクチャを示す図面である。
【図４】本発明の実施例による近隣通信サービスの実現方法のフロー図である。
【図５】本発明の実施例による、実施例１に対応する近隣通信サービスの実現方法のフロー図である。
【図６】本発明の実施例による、実施例２に対応する近隣通信サービスの実現方法のフロー図である。
【図７】本発明の実施例による、実施例３に対応する近隣通信サービスの実現方法のフロー図である。
【図８】本発明の実施例による、実施例４に対応する近隣通信サービスの実現方法のフロー図である。
【図９】本発明の実施例による、実施例５に対応する近隣通信サービスの実現方法のフロー図である。
【図１０】本発明の実施例による、実施例６に対応する近隣通信サービスの実現方法のフロー図である。
【図１１】本発明の実施例による近隣通信サービスの実現装置の構造を示す図面である。
【図１２】本発明の実施例による近隣通信サービスの別の実現装置の構造を示す図面である。
【発明を実施するための形態】
【００２５】
本発明の実施例は、近隣通信サービスの実現方法及び装置を提供する。ＵＥが契約するときに、近隣通信サービスＩＤがＵＥに割り当てられる。このように、ＵＥから送信される近隣通信サービス要求の受信後に、ＵＥの近隣通信サービスＩＤが確定され、それからＵＥの近隣通信サービスＩＤに基づいて近隣通信サービスが実現されることにより、ネットワークにおいてユーザのアプリケーションレイヤＩＤに基づいてＵＥの３ＧＰＰネットワーク内ＩＤを確定できず近隣通信サービスができないことが避けられ、ＵＥの近隣通信サービスが実現される。
【００２６】
図３に示すように、本発明の実施例において、ＵＥの３ＧＰＰ内部ＩＤとアプリケーションレイヤＩＤのマッピング関係を解決するために、近隣通信を３ＧＰＰネットワークによるサービスと見なす。当該サービスは、ＳＩＭ（Ｓｕｂｓｃｒｉｂｅｒ  Ｉｄｅｎｔｉｔｙ  Ｍｏｄｕｌｅ）／ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードにバインディングされる近隣通信サービスＩＤを用いて端末を識別する。近隣通信サービスＩＤは、ＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ）、拡張ＩＤ（Ｅｘｔｅｒｎａｌ  ＩＤ）、又は、新規に割り当てられる近隣通信サービス識別用のＩＤである。ＭＴＣに類似するアーキテクチャを用いて、アプリケーションサーバに接続する近隣通信サービスサーバを３ＧＰＰネットワークに設置し、３ＧＰＰネットワークのトポロジーと接続関係をアプリケーションサーバに向けて遮断させる。近隣通信サービスサーバは、ホーム公衆陸上移動ネットワークＨＰＬＭＮ（Ｈｏｍｅ  Ｐｕｂｌｉｃ  Ｌａｎｄ  Ｍｏｂｉｌｅ  Ｎｅｔｗｏｒｋ）のみに位置し、アプリケーションレイヤとインタフェースを有し、同時にホーム加入者サーバＨＳＳ（Ｈｏｍｅ  Ｓｕｂｓｃｒｉｂｅｒ  Ｓｅｒｖｅｒ）とＭＭＥにインタフェースを介して接続する。近隣通信サービスのサービスノッドは、主に以下の機能を有する。
１．近隣通信サービスＩＤに基づいて、ＵＥの内部ＩＤをＨＳＳに照会し、近隣通信に関連する契約情報を取得する。
２．アプリケーションサーバから送信される近隣通信サービス要求を受信し、近隣通信サービス状態を返信する。
３．アプリケーションサーバによる近隣通信サービス開始可否を認証する。
４．端末の位置情報と近隣通信サービスＩＤを格納する。
５．近隣端末発見と近隣通信接続確立を含む近隣通信サービスの確立可否を判断する。
６．近隣通信サービスに基づいて課金データを生成する。
【００２７】
図４に示すように、本発明の実施例による近隣通信サービスの実現方法は、以下のステップを含む。
【００２８】
ステップＳ４０１において、ユーザ機器ＵＥから送信される近隣通信サービス要求を受信する。
【００２９】
ステップＳ４０２において、ＵＥから送信される近隣通信サービス要求に基づいて、ＵＥが近隣通信サービス契約時に取得する近隣通信サービスＩＤを確定する。
【００３０】
ステップＳ４０３において、ＵＥの近隣通信サービスＩＤに基づいて、近隣通信サービスを実現する。
【００３１】
ＵＥから送信される近隣通信サービス要求に近隣通信サービスＩＤが付帯されると、近隣通信サービス要求から直接近隣通信サービスＩＤを確定できる。ＵＥから送信される近隣通信サービス要求にアプリケーションレイヤのユーザＩＤしか付帯されないと、ＵＥから送信される近隣通信サービス要求に付帯されるアプリケーションレイヤのユーザＩＤ、及びアプリケーションレイヤのユーザＩＤと近隣通信サービスＩＤとの対応関係に基づいて、ＵＥが近隣通信サービス契約時に取得する近隣通信サービスＩＤを確定する。
【００３２】
従って、ステップＳ４０２において、ＵＥから送信される近隣通信サービス要求に基づいて、ＵＥが近隣通信サービス契約時に取得する近隣通信サービスＩＤを確定することは、具体的に、以下を含む。
ＵＥから送信される近隣通信サービス要求に付帯される近隣通信サービスＩＤを取得する。
又は、ＵＥから送信される近隣通信サービス要求に付帯されるアプリケーションレイヤのユーザＩＤに基づいて、ＵＥが近隣通信サービス契約時に取得する近隣通信サービスＩＤを確定する。
【００３３】
具体的に以下のように実現される。ユーザが事業者と近隣通信サービスを契約するときに、ＰｒｏＳｅ  ＩＤと記する近隣通信サービスＩＤは、事業者からユーザに提供される。当該ＩＤは、携帯番号、端末外部ＩＤ、又は新規に近隣通信サービスサーバから割り当てられるＩＤである。ＨＳＳにおいて、端末の近隣通信サービスＩＤとＩＭＳＩのマッピング、及び近隣通信サービスに関する契約情報、例えば探索範囲、発見されることの可否を格納する。ＵＥがアプリケーションサーバに登録するとき、端末とアプリケーションの両方が近隣通信サービスに対応する場合、ＵＥは、同時にＰｒｏＳｅ  ＩＤとアプリケーションレイヤのＵｓｅｒ  ＩＤを提供してアプリケーションサーバに登録する。ユーザが直接近隣通信サービスを利用するとき、端末とネットワークは、ＰｒｏＳｅ  ＩＤを用いて近隣通信サービスの確立を行う。ユーザがアプリケーションレイヤの特定のアプリケーションを利用する場合に、アプリケーションサーバは、ユーザのアプリケーションレイヤ要求又はサーバ自身の判断に基づいて、当該ユーザに対して近隣通信サービスを確立するようＰｒｏＳｅ  Ｓｅｒｖｅｒに要求できる。このとき、アプリケーションサーバは、Ｕｓｅｒ  ＩＤからＰｒｏＳｅ  ＩＤへのインデクシングが必要であり、ＰｒｏＳｅ  ＩＤに基づいて適切なＰｒｏＳｅ  Ｓｅｒｖｅｒを選択して当該近隣通信サービスを実現する。
【００３４】
ＵＥが近隣通信サービス契約時に取得する近隣通信サービスＩＤは、ＵＥの契約情報とバインディングされ、さらにＵＥの契約情報に格納される。
【００３５】
ユーザは、アプリケーションにより近隣通信サービス要求を送信してもよいし、直接ネットワーク側に近隣通信サービス要求を送信してもよい。ユーザがアプリケーションにより近隣通信サービス要求を送信する場合に、アプリケーションサーバにより当該近隣通信サービス要求を処理する。ユーザが直接ネットワーク側に近隣通信サービス要求を送信する場合に、近隣通信サービスサーバにより当該近隣通信サービス要求を処理する。
【００３６】
ユーザがアプリケーションにより近隣通信サービス要求を送信する場合に、ステップＳ４０１において、ユーザ機器ＵＥから送信される近隣通信サービス要求を受信し、具体的に、以下を含む。
アプリケーションサーバは、ＵＥから特定のアプリケーションにより送信される近隣通信サービス要求を受信する。
ステップＳ４０１において、ＵＥの近隣通信サービスＩＤに基づいて、近隣通信サービスを実現することは、具体的に、以下を含む。
アプリケーションサーバは、ＵＥの近隣通信サービスＩＤに基づいて、対応する近隣通信サーバを選択して当該ＵＥの近隣通信サービスを実現させる。
【００３７】
具体的に、ユーザがアプリケーションにより近隣ユーザ探索の要求を送信する場合に、アプリケーションサーバは、ＵＥから特定のアプリケーションにより送信される近隣通信サービス要求を受信し、具体的に、以下を含む。
アプリケーションサーバは、ＵＥから特定のアプリケーションにより送信される近隣ユーザ探索の要求を受信する。
ＵＥの近隣通信サービスＩＤに基づいて、近隣通信サービスを実現することは、具体的に、以下を含む。
アプリケーションサーバは、ＵＥの位置又は登録されたＩＰアドレスに基づいて、設定範囲内のユーザを探索し、探索したユーザのユーザＩＤを確定する。又は、アプリケーションサーバは、受信した近隣ユーザ探索の要求に基づいて、探索されるユーザのユーザＩＤを確定する。
アプリケーションサーバは、ユーザＩＤに基づいて、探索したユーザの近隣通信サービスＩＤを確定する。
アプリケーションサーバは、ＵＥの近隣通信サービスＩＤに基づいて、当該ＵＥの近隣通信サービスサーバを確定する。当該ＵＥの近隣通信サービスサーバを介して、当該ＵＥが近隣ユーザ探索権限を有することを確定する。そして、当該ＵＥの近隣通信サービスサーバを介して、探索したユーザの近隣通信サービスＩＤに基づいて対応する近隣通信サービスサーバを探し、これらの近隣通信サービスサーバに発見要求を送信する。そして、各近隣通信サービスサーバから、対応ユーザの被発見許可の確定後に返信される対応ユーザの位置情報を、当該ＵＥの近隣通信サービスサーバが受信してから返信する発見結果を受信する。
アプリケーションサーバは、発見結果をＵＥに送信する。
【００３８】
ユーザがアプリケーションにより近隣通信サービス確立要求を送信する場合に、アプリケーションサーバは、ＵＥから特定のアプリケーションにより送信される近隣通信サービス要求を受信し、具体的に、以下を含む。
アプリケーションサーバは、ＵＥから特定のアプリケーションにより送信される近隣通信サービス確立要求を受信する。
ＵＥの近隣通信サービスＩＤに基づいて、近隣通信サービスを実現することは、具体的に、以下を含む。
アプリケーションサーバは、相手ＵＥのユーザＩＤに基づいて、対応する近隣通信サービスＩＤを確定する。
アプリケーションサーバは、ＵＥの近隣通信サービスＩＤに基づいて、当該ＵＥの近隣通信サービスサーバを確定し、当該ＵＥの近隣通信サービスサーバに近隣通信サービス接続要求を送信する。当該ＵＥの近隣通信サービスサーバは、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立する。
アプリケーションサーバは、当該ＵＥの近隣通信サービスサーバから返信される近隣通信接続確立成功メッセージを受信する。
アプリケーションサーバは、近隣通信接続確立成功メッセージを端末に返信する。
【００３９】
ここで、当該ＵＥの近隣通信サービスサーバは、当該ＵＥと相手ＵＥの間で近隣通信接続の確立条件が満たされると確定することは、具体的に、以下を含む。
当該ＵＥの近隣通信サービスサーバは、当該ＵＥと相手ＵＥの間で近隣通信接続が確立されていると確定する。
又は、当該ＵＥの近隣通信サービスサーバは、ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信する。相手ＵＥの近隣通信サービスサーバにより、相手ＵＥが近隣通信サービス確立権限を有すると確定してから、当該ＵＥの近隣通信サービスサーバに相手ＵＥの位置情報を返信する。そして、当該ＵＥの近隣通信サービスサーバにより、当該ＵＥの近隣通信サービス契約情報と位置情報、相手ＵＥの位置情報に基づいて、当該ＵＥと相手ＵＥの間で近隣通信接続が確立可能であると確定する。
【００４０】
当該ＵＥの近隣通信サービスサーバにより、近隣通信接続の確立に必要とする資源を当該ＵＥと相手ＵＥに割り当てるようにネットワークに要求して近隣通信接続を確立することは、具体的に、以下を含む。
当該ＵＥの近隣通信サービスサーバは、当該ＵＥの所属するＭＭＥに近隣通信サービス接続要求を送信する。当該ＵＥの所属するＭＭＥにより、近隣通信接続の確立に必要とする資源を当該ＵＥに割り当てるようにネットワークに要求し、割り当てられる近隣通信接続確立用情報を当該ＵＥの近隣通信サービスサーバに返信する。当該ＵＥの近隣通信サービスサーバにより、当該ＵＥに割り当てられる近隣通信接続確立用情報が付帯される近隣通信サービス接続要求を相手ＵＥの近隣通信サービスサーバに送信する。相手ＵＥの近隣通信サービスサーバにより、近隣通信接続の確立に必要とする資源を相手ＵＥに割り当てるようにネットワークに要求して近隣通信接続を確立する。
【００４１】
ユーザが直接ネットワーク側に近隣通信サービス要求を送信する場合に、ステップＳ４０１において、ＵＥから送信される近隣通信サービス要求を受信し、具体的に、以下を含む。
近隣通信サービスサーバは、ＵＥから送信される近隣通信サービス要求を受信する。又は、近隣通信サービスサーバは、ＭＭＥがＵＥから送信される近隣通信サービス要求の受信後に転送する近隣通信サービス要求を受信する。
ステップＳ４０３において、ＵＥの近隣通信サービスＩＤに基づいて、近隣通信サービスＩＤを実現することは、具体的に、以下を含む。
近隣通信サービスサーバは、ＵＥの近隣通信サービスＩＤに基づいて、当該ＵＥの近隣通信サービスを実現する。
【００４２】
具体的に、ユーザが直接ネットワーク側にユーザ探索要求を送信し、かつ探索要求に相手ＵＥの近隣通信サービスＩＤが付帯される場合に、近隣通信サービスサーバは、ＵＥから直接送信される近隣通信サービス要求を受信し、具体的に、以下を含む。
近隣通信サービスサーバは、ＵＥから送信されるユーザ探索要求を受信する。ユーザ探索要求には、当該ＵＥの近隣通信サービスＩＤ、相手ＵＥの近隣通信サービスＩＤ、及び探索開始用アプリケーションＩＤが付帯される。
近隣通信サービスサーバは、ＵＥの近隣通信サービスＩＤに基づいて、当該ＵＥの近隣通信サービスを実現することは、具体的に、以下を含む。
近隣通信サービスサーバは、アプリケーションＩＤに基づいて、当該アプリケーションによる近隣通信サービスの利用可と判断してから、ユーザ探索要求を相手ＵＥの近隣通信サービスサーバに送信する。当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信する。
近隣通信サービスサーバは、２つの端末の位置に基づいて、相手ＵＥの被発見可否の確定後に、ＵＥに発見結果を返信する。
【００４３】
ユーザが直接ネットワーク側にユータ探索要求を送信し、かつ、探索要求に相手ＵＥのアプリケーションレイヤのユーザＩＤが付帯される場合に、近隣通信サービスサーバは、ＵＥから直接送信される近隣通信サービス要求を受信し、具体的に、以下を含む。
近隣通信サービスサーバは、ＵＥから送信されるユーザ探索要求を受信する。ユーザ探索要求には、当該ＵＥの近隣通信サービスＩＤ、相手ＵＥのアプリケーションレイヤのユーザＩＤ、及び探索開始用アプリケーションＩＤが付帯される。
近隣通信サービスサーバは、ＵＥの近隣通信サービスＩＤに基づいて、当該ＵＥの近隣通信サービスを実現することは、具体的に、以下を含む。
近隣通信サービスサーバは、相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得する。
近隣通信サービスサーバは、アプリケーションＩＤに基づいて、当該アプリケーションによる近隣通信サービスの利用可と判断してから、ユーザ探索要求を相手ＵＥの近隣通信サービスサーバに送信する。そして、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信する。
近隣通信サービスサーバは、２つの端末の位置に基づいて、相手ＵＥの被発見可否の確定後に、ＵＥに発見結果を返信する。
【００４４】
ユーザが直接ネットワーク側に近隣通信サービス確立要求を送信する場合に、近隣通信サービスサーバは、ＵＥから送信される近隣通信サービス要求を受信し、具体的に、以下を含む。
近隣通信サービスサーバは、ＵＥから直接送信される近隣通信サービス確立要求を受信する。近隣通信サービス確立要求には、当該ＵＥの近隣通信サービスＩＤ、相手ＵＥの近隣通信サービスＩＤ、及び近隣通信サービスの確立開始用アプリケーションＩＤが付帯される。
近隣通信サービスサーバは、ＵＥの近隣通信サービスＩＤに基づいて当該ＵＥの近隣通信サービスを実現することは、具体的に、以下を含む。
近隣通信サービスサーバは、近隣通信サービス確立要求を相手ＵＥの近隣通信サービスサーバに送信する。当該ＵＥの近隣通信サービスサーバにより、相手ＵＥの近隣通信サービスサーバが相手ＵＥの近隣通信接続が確立可能であることの確定後に返信される相手ＵＥの現在位置を受信する。
当該ＵＥと相手ＵＥとの間で近隣通信接続の確立条件が満たされると近隣通信サービスサーバが確定してから、当該ＵＥの近隣通信サービスサーバは、近隣通信接続の確立に必要とする資源を当該ＵＥと相手ＵＥに割り当てるようにネットワークに要求して近隣通信接続を確立する。
前記近隣通信サービスサーバは、近隣通信接続確立成功メッセージをＵＥに返信する。
【００４５】
ここで、近隣通信サービスサーバは、ＵＥから直接送信される近隣通信サービス要求を受信することは、具体的に、以下を含む。
近隣通信サービスサーバは、ＵＥから送信される近隣通信サービス確立要求を受信する。近隣通信サービス確立要求には、当該ＵＥの近隣通信サービスＩＤ、相手ＵＥのアプリケーションレイヤＩＤ、及び近隣通信サービス確立開始用アプリケーションＩＤが付帯される。
近隣通信サービスサーバは、前記ＵＥの近隣通信サービスＩＤに基づいて、当該ＵＥの近隣通信サービスを実現することは、具体的に、以下を含む。
近隣通信サービスサーバは、相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得する。
近隣通信サービスサーバは、近隣通信サービス確立要求を相手ＵＥの近隣通信サービスサーバに送信する。当該相手ＵＥの近隣通信サービスサーバにより、相手ＵＥの近隣通信サービスサーバが相手ＵＥの近隣通信接続が確立可能であることの確定後に返信される相手ＵＥの現在位置を受信する。
当該ＵＥと相手ＵＥとの間で近隣通信接続の確立条件が満たされると近隣通信サービスサーバが確定してから、当該ＵＥの近隣通信サービスサーバは、近隣通信接続の確立に必要とする資源を当該ＵＥと相手ＵＥに割り当てるようにネットワークに要求して近隣通信接続を確立する。
近隣通信サービスサーバは、近隣通信接続確立成功メッセージをＵＥに返信する。
【００４６】
当該ＵＥと相手ＵＥの間で近隣通信接続の確立条件が満たされると近隣通信サービスサーバが確定することは、具体的に、以下を含む。
近隣通信サービスサーバは、当該ＵＥと相手ＵＥの間で近隣通信接続が確立されていると確定する。
又は、近隣通信サービスサーバは、ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信する。前記近隣通信サービスサーバは、当該ＵＥの近隣通信サービス契約情報と位置情報、相手ＵＥの位置情報に基づいて、当該ＵＥと相手ＵＥの間で近隣通信接続が確立可能であると確定する。
【００４７】
近隣通信サービスサーバにより、近隣通信接続の確立に必要とする資源を当該ＵＥと相手ＵＥに割り当てるようにネットワークに要求して近隣通信接続を確立することは、具体的に、以下を含む。
近隣通信サービスサーバは、近隣通信接続が確立可能であると確定してから、当該ＵＥのＭＭＥに近隣通信接続要求を送信する。当該ＵＥのＭＭＥにより、近隣通信接続の確立に必要とする資源を当該ＵＥに割り当てるようにネットワークに要求し、ＭＭＥから返信される近隣通信接続確立用情報を受信する。
近隣通信サービスサーバは、当該ＵＥに割り当てられる近隣通信接続確立用情報が付帯される近隣通信接続要求を、相手ＵＥの近隣通信サービスサーバに送信する。相手ＵＥの近隣通信サービスサーバにより、近隣通信接続の確立に必要とする資源を相手ＵＥに割り当てるようにネットワークに要求して近隣通信接続を確立する。
【００４８】
以下、具体的な実施例により、近隣通信サービスの実現方法を具体的に説明する。
【００４９】
実施例１
端末上のアプリケーションは、近隣通信サービスディスカバリ（ＰｒｏＳｅ  ｄｉｓｃｏｖｅｒｙ）のプロセスを開始させて近くのユーザを探索する。図５に示すように、以下のステップを含む。
【００５０】
ステップＳ５０１において、ユーザは、あるアプリケーションを使用して近隣ユーザを探索する。ユーザ端末は、アプリケーションレイヤ要求をアプリケーションサーバに送信して、当該アプリケーション上の全ての友人又は一人の友人を探すよう指示する。
【００５１】
ステップＳ５０２において、アプリケーションサーバは、現在の端末の位置又は登録されたＩＰアドレスなどの情報に基づいて近くの友人を探索する。探索範囲は、ＰｒｏＳｅ  Ｓｅｒｖｅｒにより指示されるか、ユーザにより指示されるか、サーバにより予め設定される。よって、近くの友人のＵｓｅｒ  ＩＤを確定できる。
【００５２】
ステップＳ５０３において、アプリケーションサーバは、探索したユーザのＵｓｅｒ  ＩＤに基づいて対応するＰｒｏＳｅ  ＩＤ  Ａを見つけ出し、探索した友人リストの中のＵｓｅｒ  ｌｉｓｔに基づいて、対応するＰｒｏＳｅ  ＩＤ  ｌｉｓｔを見つけ出す。
【００５３】
ステップＳ５０４において、アプリケーションサーバは、ＰｒｏＳｅ  ＩＤ  Ａに基づいて適切なＰｒｏＳｅ  Ｓｅｒｖｅｒ  Ａを探す。例えばＤＮＳ  Ｓｅｒｖｅｒを使用する。
【００５４】
ステップＳ５０５において、アプリケーションサーバは、ＰｒｏＳｅ  ｄｉｓｃｏｖｅｒｙ要求をＰｒｏＳｅ  Ｓｅｒｖｅｒ  Ａに送信し、当該ＰｒｏＳｅ  ＩＤのＰｒｏＳｅに関する契約情報を照会するようＰｒｏＳｅ  Ｓｅｒｖｅｒに要求する。
【００５５】
ステップＳ５０６において、ＰｒｏＳｅ  Ｓｅｒｖｅｒ  Ａは、ＰｒｏＳｅ  ＩＤ  Ａに基づいてＨＳＳに照会し、当該ＵＥのＩＭＳＩと近隣通信契約情報を取得する。近隣通信契約情報は、例えば、本アプリケーションによる近隣通信サービスの使用可否、探索範囲、探索されることの可否、探索されるユーザによる確認の要否などである。また、ＰｒｏＳｅ  Ｓｅｒｖｅｒ  Ａは、ＵＥの現在位置を取得するようにネットワークに要求する可能性がある。
【００５６】
ステップＳ５０７において、ＰｒｏＳｅ  Ｓｅｒｖｅｒ  Ａは、ＰｒｏＳｅ  ＩＤ  ｌｉｓｔに基づいて、対応するＰｒｏＳｅ  Ｓｅｒｖｅｒを探し、これらのＰｒｏＳｅ  Ｓｅｒｖｅｒにｄｉｓｃｏｖｅｒｙ要求を送信する。
【００５７】
ステップＳ５０８において、各ＰｒｏＳｅ  Ｓｅｒｖｅｒは、ＰｒｏＳｅ  ＩＤに基づいてＨＳＳに照会し、当該ＵＥの近隣通信契約情報を取得する。契約に基づいて、発見（ｄｉｓｃｏｖｅｒｙ）されることの可否を判断する。可の場合に、現在のＵＥの位置情報をＰｒｏＳｅ  Ｓｅｒｖｅｒ  Ａに返信する。
【００５８】
ステップ５０９において、ＰｒｏＳｅ  Ｓｅｒｖｅｒ  Ａは、ＰｒｏＳｅ  Ｓｅｒｖｅｒ  Ａに対応するＵＥの近隣通信サービス契約情報と位置情報、各ＰｒｏＳｅ  Ｓｅｒｖｅｒから取得するＰｒｏＳｅ  ＩＤ  ｌｉｓｔの中の各ＵＥの位置情報に基づいて、ＰｒｏＳｅ  ＩＤ  ｌｉｓｔのうち、ＰｒｏＳｅ  Ｓｅｒｖｅｒ  Ａに対応するユーザにより発見（ｄｉｓｃｏｖｅｒｙ）されることができるＵＥを判断し、発見結果をアプリケーションサーバに返信する。
【００５９】
各ＰｒｏＳｅ  Ｓｅｒｖｅｒは、ＨＳＳから照会したＵＥの近隣通信サービス契約情報をキャッシュすることができ、対応するＵＥによる再度の近隣通信サービス要求時に、近隣通信サービス契約情報を取得しやすくする。
【００６０】
実施例２
端末上でＰｒｏＳｅ  ＩＤを使用してＰｒｏＳｅ  ｄｉｓｃｏｖｅｒｙを行う。図６に示すように、以下のステップを含む。
【００６１】
ステップＳ６０１において、ユーザは、相手ユーザのＰｒｏＳｅ  ＩＤを提供して当該ユーザを探索する。ユーザ端末は、ｄｉｓｃｏｖｅｒｙ要求をネットワークに送信する。要求には、要求元端末と相手端末のＰｒｏＳｅ  ＩＤ及び端末上で探索開始用のＡｐｐｌｉｃａｔｉｏｎ  ＩＤが付帯される。相手ユーザのＰｒｏＳｅ  ＩＤは、相手ユーザのアプリケーションレイヤのＵｓｅｒ  ＩＤでＤＮＳサーバに照会することにより取得できる。
【００６２】
ステップＳ６０２において、ネットワークにおけるＭＭＥは、ｄｉｓｃｏｖｅｒｙ要求を受信すると、要求における要求元端末のＰｒｏＳｅ  ＩＤに基づいてＵＥの契約情報を取得する。契約情報に基づいて、当該端末による近隣通信サービスの使用可否を判断する。可の場合に、ｄｉｓｃｏｖｅｒｙ要求をＰｒｏＳｅ  Ｓｅｒｖｅｒに転送する。
【００６３】
実際に、ＭＭＥ経由のｄｉｓｃｏｖｅｒｙ要求転送をなしに、直接ＰｒｏＳｅ  Ｓｅｒｖｅｒによりｄｉｓｃｏｖｅｒｙ要求を受信してからＵＥの契約情報を検証してもよい。
【００６４】
ステップＳ６０３において、ＰｒｏＳｅ  Ｓｅｒｖｅｒは、Ａｐｐｌｉｃａｔｉｏｎ  ＩＤに基づいて、当該アプリケーションによる近隣通信サービスの使用可否を判断する。可の場合に、相手端末と通信するＰｒｏＳｅ  Ｓｅｒｖｅｒに要求を送信する。
【００６５】
ステップＳ６０４において、相手端末のＰｒｏＳｅ  Ｓｅｒｖｅｒは、ＰｒｏＳｅ  ＩＤに基づいてＵＥの契約情報を照会する。契約に基づいて、ＵＥの被発見可否を判断する。可の場合に、要求元のＰｒｏＳｅ  ＳｅｒｖｅｒにＵＥの現在位置を返信する。
【００６６】
ステップＳ６０５において、要求元のＰｒｏＳｅ  Ｓｅｒｖｅｒは、２つの端末の位置に基づいて、発見されることの可否を判断し、発見結果を返信する。
【００６７】
実施例３
端末上のアプリケーションでＰｒｏＳｅ接続の確立を開始させる。図７に示すように、以下のステップを含む。
【００６８】
ステップＳ７０１において、端末上のあるアプリケーションは、ある近隣ユーザへの近隣通信接続の確立を開始させる。ユーザ端末は、アプリケーションレイヤ要求をアプリケーションサーバに送信する。
【００６９】
ステップＳ７０２において、アプリケーションサーバは、要求における端末のＵｓｅｒ  ＩＤに基づいて、端末の現在位置又はＩＰアドレス情報を照会し、両者の間で近隣通信確立の可否を判断する。
【００７０】
ステップＳ７０３において、アプリケーションサーバは、要求元端末のＵｓｅｒ  ＩＤに基づいて、対応するＰｒｏＳｅ  ＩＤ  Ａを見つけ出し、相手端末のＵｓｅｒ  ＩＤに基づいて、対応するＰｒｏＳｅ  ＩＤ見つけ出す。
【００７１】
ステップＳ７０４において、アプリケーションサーバは、ＰｒｏＳｅ  ＩＤ  Ａに基づいて、適切なＰｒｏＳｅ  Ｓｅｒｖｅｒ  Ａを探す。例えばＤＮＳ  Ｓｅｒｖｅｒを使用する。
【００７２】
ステップＳ７０５において、アプリケーションサーバは、ＰｒｏＳｅ  Ｃｏｎｎｅｃｔｉｖｉｔｙ要求をＰｒｏＳｅ  Ｓｅｒｖｅｒ  Ａに送信し、ＰｒｏＳｅ  Ｓｅｒｖｅｒ  ＡとＰｒｏＳｅ  ＩＤに近隣通信接続を確立するようＰｒｏＳｅ  Ｓｅｒｖｅｒに要求する。
【００７３】
ステップＳ７０６において、ＰｒｏＳｅ  Ｓｅｒｖｅｒ  Ａは、ＰｒｏＳｅ  ＩＤ  Ａに基づいてＨＳＳに照会し、当該ＵＥのＩＭＳＩと近隣通信契約情報を取得する。近隣通信契約情報は、たとえば、本アプリケーションによる近隣通信サービスの使用可否、近隣通信範囲などである。また、ＰｒｏＳｅ  Ｓｅｒｖｅｒ  Ａは、ＵＥの現在位置を取得するようにネットワークに要求する可能性がある。
【００７４】
ステップＳ７０７において、ＰｒｏＳｅ  Ｓｅｒｖｅｒ  Ａは、ＰｒｏＳｅ  ＩＤに基づいて、対応するＰｒｏＳｅ  Ｓｅｒｖｅｒを探し、当該ＰｒｏＳｅ  Ｓｅｒｖｅｒにｄｉｓｃｏｖｅｒｙ要求を送信する。
【００７５】
ステップＳ７０８において、ＰｒｏＳｅ  Ｓｅｒｖｅｒは、ＰｒｏＳｅ  ＩＤに基づいてＨＳＳに照会し、当該ＵＥの近隣通信契約情報を取得する。契約に基づいて、近隣通信接続の確立可否を判断する。可の場合に、現在のＵＥの位置情報をＰｒｏＳｅ  Ｓｅｒｖｅｒ  Ａに返信する。
【００７６】
ステップＳ７０９において、ＰｒｏＳｅ  Ｓｅｒｖｅｒ  Ａは、ＰｒｏＳｅ  ＩＤ  Ａに対応するＵＥの近隣通信契約情報と位置情報、ＰｒｏＳｅ  ＩＤに対応するＵＥの位置情報に基づいて、ＰｒｏＳｅ  ＩＤ  ＡとＰｒｏＳｅ  ＩＤに対応するＵＥの間で近隣通信接続の確立可否を判断する。可の場合に、ＰｒｏＳｅ  Ｓｅｒｖｅｒ  Ａは、ＭＭＥ  ＡにＰｒｏＳｅ  Ｃｏｎｎｅｃｔｉｖｉｔｙ要求を送信する。
【００７７】
ステップＳ７１０において、ＭＭＥ  Ａは、ＰｒｏＳｅ  Ｃｏｎｎｅｃｔｉｖｉｔｙ要求を受信すると、近隣通信接続の確立に必要とする資源をＵＥ  Ａに割り当てるようにネットワークに要求し、割り当てられる近隣通信接続の確立に必要とする情報をＰｒｏＳｅ  Ｓｅｒｖｅｒ  Ａに返信する。
【００７８】
ステップＳ７１１において、ＰｒｏＳｅ  Ｓｅｒｖｅｒ  Ａは、ＰｒｏＳｅ  Ｃｏｎｎｅｃｔｉｖｉｔｙ要求をＰｒｏＳｅ  Ｓｅｒｖｅｒに送信し、ＵＥ  Ａに割り当てられる近隣通信接続の確立に必要とする情報が付帯される。
【００７９】
ステップＳ７１２において、ＰｒｏＳｅ  Ｓｅｒｖｅｒは、近隣通信接続の確立に必要とする情報をＰｒｏＳｅ  ＩＤに対応するＵＥに割り当てるようにネットワークに要求し、近隣通信接続を確立する。
【００８０】
ステップＳ７１３において、ＰｒｏＳｅ  Ｓｅｒｖｅｒ  Ａは、近隣通信接続確立成功メッセージをＡｐｐｌｉｃａｔｉｏｎ  Ｓｅｒｖｅｒに返信する。
【００８１】
ステップＳ７１４において、Ａｐｐｌｉｃａｔｉｏｎ  Ｓｅｒｖｅｒは、近隣通信接続確立成功メッセージを端末に返信する。
【００８２】
ＰｒｏＳｅ  Ｓｅｒｖｅｒ  ＡとＰｒｏＳｅ  Ｓｅｒｖｅｒの両方に＜ＰｒｏＳｅ  ＩＤ  Ａ，ＰｒｏＳｅ  ＩＤ＞ペアが格納され、両者の間で近隣通信接続が確立されていることを示し、後続の工程で当該両者間の近隣通信接続確立要求を受信する際に、判断をする必要がなしに、直接接続を確立する。
【００８３】
実施例４
端末は、ＰｒｏＳｅ  ＩＤを使用して近隣通信接続を確立する。図８に示すように、以下のステップを含む。
【００８４】
ステップＳ８０１において、ユーザは、相手ユーザのＰｒｏＳｅ  ＩＤを提供して近隣通信接続を確立する。要求には、要求元端末と相手端末のＰｒｏＳｅ  ＩＤ及び端末上で近隣通信開始用アプリケーションＩＤが付帯される。相手ユーザのＰｒｏＳｅ  ＩＤは、相手ユーザのアプリケーションレイヤのＵｓｅｒ  ＩＤでＤＮＳサーバに照会することにより取得できる。
【００８５】
ステップＳ８０２において、ネットワークにおけるＭＭＥは、ＰｒｏＳｅ  Ｃｏｎｎｅｃｔｉｖｉｔｙ要求を受信すると、要求における要求元端末のＰｒｏＳｅ  ＩＤに基づいてＵＥの契約情報を取得する。契約情報に基づいて、当該端末による近隣通信サービスの使用可否を判断する。可の場合に、要求をＰｒｏＳｅ  Ｓｅｒｖｅｒに転送する。
【００８６】
実際に、ＭＭＥによるＰｒｏＳｅ  Ｃｏｎｎｅｃｔｉｖｉｔｙ要求転送をなしに、直接ＰｒｏＳｅ  ＳｅｒｖｅｒによりＰｒｏＳｅ  Ｃｏｎｎｅｃｔｖｉｔｙ要求を受信してからＵＥの契約情報を検証してもよい。
【００８７】
ステップＳ８０３において、ＰｒｏＳｅ  Ｓｅｒｖｅｒは、ＡｐｐｌｉｃａｔｉｏｎＩＤに基づいて、当該アプリケーションによる近隣通信サービスの使用可否を判断する。可の場合に、相手端末と通信するＰｒｏＳｅ  Ｓｅｒｖｅｒに要求を送信する。
【００８８】
ステップＳ８０４において、相手端末のＰｒｏＳｅ  Ｓｅｒｖｅｒは、ＰｒｏＳｅ  ＩＤに基づいて、ＵＥの契約情報を照会する。契約に基づいて、ＵＥの近隣通信接続確立可否を判断する。可の場合に、ＵＥの現在位置を要求元のＰｒｏＳｅ  Ｓｅｒｖｅｒ  Ａに返信する。
【００８９】
ステップＳ８０５において、ＰｒｏＳｅ  Ｓｅｒｖｅｒ  Ａは、２つの端末の位置に基づいて近隣通信接続の確立可否を判断する。可の場合に、ＰｒｏＳｅ  Ｓｅｒｖｅｒ  Ａは、ＭＭＥ  ＡにＰｒｏＳｅ  Ｃｏｎｎｅｃｔｉｖｉｔｙ要求を送信する。
【００９０】
ステップＳ８０６において、ＭＭＥ  Ａは、ＰｒｏＳｅ  Ｃｏｎｎｅｃｔｉｖｉｔｙ要求を受信すると、近隣通信接続の確立に必要とする資源をＵＥ  Ａに割り当てるようにネットワークに要求し、割り当てられる近隣通信接続の確立に必要とする情報をＰｒｏＳｅ  Ｓｅｒｖｅｒ  Ａに返信する。
【００９１】
ステップＳ８０７において、ＰｒｏＳｅ  Ｓｅｒｖｅｒ  Ａは、ＰｒｏＳｅ  Ｃｏｎｎｅｃｔｉｖｉｔｙ要求をＰｒｏＳｅ  Ｓｅｒｖｅｒに送信し、ＵＥ  Ａに割り当てられる近隣通信接続の確立に必要とする情報が付帯される。
【００９２】
ステップＳ８０８において、ＰｒｏＳｅ  Ｓｅｒｖｅｒは、近隣通信接続の確立に必要とする資源をＰｒｏＳｅ  ＩＤに対応するＵＥに割り当てるようにネットワークに要求し、近隣通信接続を確立する。
【００９３】
ステップＳ８０９において、ＰｒｏＳｅ  Ｓｅｒｖｅｒ  Ａは、近隣通信接続確立成功メッセージをＵＥに返信する。
【００９４】
ＰｒｏＳｅ  Ｓｅｒｖｅｒ  ＡとＰｒｏＳｅ  Ｓｅｒｖｅｒの両方に＜ＰｒｏＳｅ  ＩＤ  Ａ，ＰｒｏＳｅ  ＩＤ＞ペアが格納され、両者の間で近隣通信接続が確立されていることを示し、後続の工程で当該両者間の近隣通信接続確立要求を受信する際に、判断をする必要がなしに、直接接続を確立する。
【００９５】
実施例５
端末上のアプリケーションは、アプリケーションＩＤ（Ａｐｐ  ＩＤ）によりユーザを探索する。図９に示すように、以下のステップを含む。
【００９６】
ステップＳ９０１において、ユーザは、あるアプリケーションを使用して近隣ユーザを探索する。ユーザ端末は、探索要求をＰｒｏＳｅ  Ｓｅｒｖｅｒ  Ａに送信し、Ａｐｐ  ＩＤのアプリケーション上の友人ユーザＩＤ（ｆｒｉｅｎｄ  ｕｓｅｒ  ＩＤ）を探索するよう指示する。
【００９７】
ステップＳ９０２において、ＰｒｏＳｅ  Ｓｅｒｖｅｒ  Ａは、現在端末から提供されるＡｐｐ  ＩＤに基づいて、アプリケーションサーバのＩＰアドレスを取得し、ｆｒｉｅｎｄ  ｕｓｅｒ  ＩＤに対応するＰｒｏＳｅ  ＩＤを取得する要求をアプリケーションサーバに送信する。
【００９８】
ステップＳ９０３において、アプリケーションサーバは、探索したユーザのＵｓｅｒ  ＩＤに基づいて、ｆｒｉｅｎｄ  ｕｓｅｒ  ＩＤに対応するＰｒｏＳｅ  ＩＤを見つけ出す。
【００９９】
ステップＳ９０４において、アプリケーションサーバは、ｆｒｉｅｎｄ  ｕｓｅｒ  ＩＤに対応するＰｒｏＳｅ  ＩＤをＰｒｏＳｅ  Ｓｅｒｖｅｒ  Ａに返信する。
【０１００】
ステップＳ９０５において、ＰｒｏＳｅ  Ｓｅｒｖｅｒ  Ａは、ＰｒｏＳｅ  ＩＤ  Ａに基づいてＨＳＳに照会し、当該ＵＥのＩＭＳＩと近隣通信契約情報を取得する。近隣通信契約情報は、例えば、本アプリケーションによる近隣通信サービスの使用可否、探索範囲、探索される可否、探索されるユーザによる確認の要否などである。また、ＰｒｏＳｅ  Ｓｅｒｖｅｒ  Ａは、ＵＥの現在位置を取得するようにネットワークに要求する可能性がある。
【０１０１】
ステップＳ９０６において、ＰｒｏＳｅ  Ｓｅｒｖｅｒ  Ａは、ＰｒｏＳｅ  ＩＤに基づいて、対応するＰｒｏＳｅ  Ｓｅｒｖｅｒを探し、これらのＰｒｏＳｅ  Ｓｅｒｖｅｒにｄｉｓｃｏｖｅｒｙ要求を送信する。
【０１０２】
ステップＳ９０７において、ＰｒｏＳｅ  Ｓｅｒｖｅｒは、ＰｒｏＳｅ  ＩＤに基づいてＨＳＳに照会し、当該ＵＥの近隣通信契約情報を取得する。契約に基づいて、発見（ｄｉｓｃｏｖｅｒｙ）される可否を判断する。可の場合に、現在のＵＥの位置情報をＰｒｏＳｅ  Ｓｅｒｖｅｒ  Ａに返信する。
【０１０３】
ステップ９０８において、ＰｒｏＳｅ  Ｓｅｒｖｅｒ  Ａは、ＰｒｏＳｅ  Ｓｅｒｖｅｒ  Ａに対応するＵＥの近隣通信サービス契約情報と位置情報、各ＰｒｏＳｅ  Ｓｅｒｖｅｒから取得するＰｒｏＳｅ  ＩＤに対応するＵＥの位置情報に基づいて、ＰｒｏＳｅ  ＩＤに対応するＵＥが、ＰｒｏＳｅ  Ｓｅｒｖｅｒ  Ａに対応するユーザに発見（ｄｉｓｃｏｖｅｒｙ）されることの可否を判断し、発見結果をＵＥに返信する。
【０１０４】
実施例６
端末上のアプリケーションは、Ａｐｐ  ＩＤにより近隣通信を確立する。図１０に示すように、以下のステップを含む。
【０１０５】
ステップＳ１００１において、端末上のあるアプリケーションは、ある近隣ユーザへの近隣通信接続の確立を開始させる。ユーザ端末は、近隣通信確立要求をＰｒｏＳｅ  Ｓｅｒｖｅｒ  Ａに送信する。
【０１０６】
ステップＳ１００２において、ＰｒｏＳｅ  Ｓｅｒｖｅｒ  Ａは、要求における端末のＡｐｐ  ＩＤに基づいてアプリケーションサーバに照会し、ＰｒｏＳｅ  ＩＤ取得要求をアプリケーションサーバに送信する。
【０１０７】
ステップＳ１００３において、アプリケーションサーバは、相手端末のＵｓｅｒ  ＩＤに基づいて、対応するＰｒｏＳｅ  ＩＤを取得してＰｒｏＳｅ  Ｓｅｒｖｅｒ  Ａに返信する。
【０１０８】
ステップＳ１００４において、ＰｒｏＳｅ  Ｓｅｒｖｅｒ  Ａは、ＰｒｏＳｅ  ＩＤ  Ａに基づいてＨＳＳに照会し、当該ＵＥのＩＭＳＩと近隣通信契約情報を取得する。近隣通信契約情報は、たとえば、本アプリケーションによる近隣通信サービスの使用可否、近隣通信範囲などである。また、ＰｒｏＳｅ  Ｓｅｒｖｅｒ  Ａは、ＵＥの現在位置を取得するようにネットワークに要求する可能性がある。
【０１０９】
ステップＳ１００５において、ＰｒｏＳｅ  Ｓｅｒｖｅｒ  Ａは、ＰｒｏＳｅ  ＩＤに基づいて、対応するＰｒｏＳｅ  Ｓｅｒｖｅｒを探し、当該ＰｒｏＳｅ  Ｓｅｒｖｅｒにｄｉｓｃｏｖｅｒｙ要求を送信する。
【０１１０】
ステップＳ１００６において、ＰｒｏＳｅ  Ｓｅｒｖｅｒは、ＰｒｏＳｅ  ＩＤに基づいてＨＳＳに照会し、当該ＵＥの近隣通信契約情報を取得する。契約に基づいて、近隣通信接続の確立可否を判断する。可の場合に、現在のＵＥの位置情報をＰｒｏＳｅ  Ｓｅｒｖｅｒ  Ａに返信する。
【０１１１】
ステップＳ１００７において、ＰｒｏＳｅ  Ｓｅｒｖｅｒ  Ａは、ＰｒｏＳｅ  ＩＤ  Ａに対応するＵＥの近隣通信契約情報と位置情報、ＰｒｏＳｅ  ＩＤに対応するＵＥの位置情報に基づいて、ＰｒｏＳｅ  ＩＤ  ＡとＰｒｏＳｅ  ＩＤに対応するＵＥの間で近隣通信接続の確立可否を判断する。可の場合に、ＰｒｏＳｅ  Ｓｅｒｖｅｒ  Ａは、ＭＭＥ  ＡにＰｒｏＳｅ  Ｃｏｎｎｅｃｔｉｖｉｔｙ要求を送信する。
【０１１２】
ステップＳ１００８において、ＭＭＥ  Ａは、ＰｒｏＳｅ  Ｃｏｎｎｅｃｔｉｖｉｔｙ要求を受信すると、近隣通信接続の確立に必要とする資源をＵＥ  Ａに割り当てるようにネットワークに要求し、割り当てられる近隣通信接続の確立に必要とする情報をＰｒｏＳｅ  Ｓｅｒｖｅｒ  Ａに返信する。
【０１１３】
ステップＳ１００９において、ＰｒｏＳｅ  Ｓｅｒｖｅｒ  Ａは、ＰｒｏＳｅ  Ｃｏｎｎｅｃｔｖｉｔｙ要求をＰｒｏＳｅ  Ｓｅｒｖｅｒに送信し、ＵＥ  Ａに割り当てられる近隣通信接続の確立に必要とする情報が付帯される。
【０１１４】
ステップＳ１０１０において、ＰｒｏＳｅ  Ｓｅｒｖｅｒは、近隣通信接続の確立に必要とする資源をＰｒｏＳｅ  ＩＤに対応するＵＥに割り当てるようにネットワークに要求し、近隣通信接続を確立する。
【０１１５】
ステップＳ１０１１において、ＰｒｏＳｅ  Ｓｅｒｖｅｒ  Ａは、近隣通信接続確立成功メッセージを端末に返信する。
【０１１６】
ＰｒｏＳｅ  Ｓｅｒｖｅｒ  ＡとＰｒｏＳｅ  Ｓｅｒｖｅｒの両方に＜ＰｒｏＳｅ  ＩＤ  Ａ，ＰｒｏＳｅ  ＩＤ＞ペアが格納され、両者の間で近隣通信接続が確立されていることを示し、後続の工程で当該両者間の近隣通信接続確立要求を受信する際に、判断をする必要がなしに、直接接続を確立する。
【０１１７】
本発明の実施例は、対応的に近隣通信サービスの実現装置も提供する。図１１に示すように、ユーザ機器ＵＥから送信される近隣通信サービス要求を受信するための受信ユニット１１１と、ＵＥが近隣通信サービス契約時に取得する近隣通信サービスＩＤを確定するための確定ユニット１１２と、ＵＥの近隣通信サービスＩＤに基づいて、近隣通信サービスを実現するための処理ユニット１１３とを含む。
【０１１８】
確定ユニット１１２は、具体的に、ＵＥから送信される近隣通信サービス要求に付帯される近隣通信サービスＩＤを取得し、又は、ＵＥから送信される近隣通信サービス要求に付帯されるアプリケーションレイヤのユーザＩＤに基づいて、ＵＥが近隣通信サービス契約時に取得する近隣通信サービスＩＤを確定する。
【０１１９】
ＵＥが近隣通信サービス契約時に取得する近隣通信サービスＩＤは、ＵＥの契約情報とバインディングされ、ＵＥの契約情報に格納される。
【０１２０】
当該装置が特定のアプリケーションサーバである場合に、
受信ユニット１１１は、具体的に、
ＵＥから特定のアプリケーションにより送信される近隣通信サービス要求を受信する。
処理ユニット１１３は、具体的に、
ＵＥの近隣通信サービスＩＤに基づいて、対応する近隣通信サーバを選択して当該ＵＥの近隣通信サービスを実現させる。
【０１２１】
受信ユニット１１１は、具体的に、
ＵＥから特定のアプリケーションにより送信される近隣ユーザ探索の要求を受信する。
処理ユニット１１３は、具体的に、
ＵＥの位置又は登録されたＩＰアドレスに基づいて、設定範囲内のユーザを探索し、探索したユーザのユーザＩＤを確定し、又は、受信した近隣ユーザ探索の要求に基づいて、探索されるユーザのユーザＩＤを確定し、
ユーザＩＤに基づいて、探索したユーザの近隣通信サービスＩＤを確定し、
ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信し、
発見結果をＵＥに送信する。
【０１２２】
受信ユニット１１１は、具体的に、
ＵＥから特定のアプリケーションにより送信される近隣通信サービス確立要求を受信する。
処理ユニット１１３は、具体的に、
相手ＵＥのユーザＩＤに基づいて、対応する近隣通信サービスＩＤを確定し、
ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立し、
当該ＵＥの近隣通信サービスサーバから返信される近隣通信接続確立成功メッセージを受信し、
近隣通信接続確立成功メッセージを端末に返信する。
【０１２３】
装置が近隣通信サービスサーバである場合に、受信ユニット１１１は、具体的に、
ＵＥから送信される近隣通信サービス要求を受信し、又は、ＭＭＥ／ＳＧＳＮがＵＥから送信される近隣通信サービス要求を受信してから転送する近隣通信サービス要求を受信する。
処理ユニット１１３は、具体的に、
前記ＵＥの近隣通信サービスＩＤに基づいて、当該ＵＥの近隣通信サービスを実現する。
【０１２４】
受信ユニット１１１は、具体的に、
ＵＥから送信され、当該ＵＥの近隣通信サービスＩＤ、相手ＵＥの近隣通信サービスＩＤ、及び探索開始用アプリケーションＩＤが付帯されるユーザ探索要求を受信する。
処理ユニット１１３は、具体的に、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信する。
【０１２５】
受信ユニット１１１は、具体的に、
ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信する。
処理ユニット１１３は、具体的に、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、
２つの端末の位置に基づいて、相手ＵＥの被発見可否の確定後に、前記ＵＥに発見結果を返信する。
【０１２６】
受信ユニット１１１は、具体的に、
ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信する。
処理ユニット１１３は、具体的に、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信する。
【０１２７】
受信ユニット１１１は、具体的に、
ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信する。
処理ユニット１１３は、具体的に、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、
近隣通信接続確立成功メッセージをＵＥに返信する。
【０１２８】
処理ユニット１１３は、当該ＵＥと相手ＵＥの間で近隣通信接続の確立条件が満たされると確定することは、具体的に、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定することを含む。
【０１２９】
処理ユニット１１３は、近隣通信接続の確立に必要とする資源を当該ＵＥと相手ＵＥに割り当てるようにネットワークに要求して近隣通信接続を確立することは、具体的に、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することとを含む。
【０１３０】
図１２を参照する。本発明の実施例による別の近隣通信サービスの実現装置は、メモリ３１１とプロセッサ３１２を含む。
【０１３１】
上記の本発明の実施例に記載される方法を実行するためのコンピュータプログラムなどをプロセッサ３１２に配置することにより、対応の機能を実現し、本発明の予期する有益な効果を達成する。メモリ３１１は、前記コンピュータプログラムのコードの格納に用いられる。該コードは、前記プロセッサ３１２の配置に用いられる。プロセッサ３１２は、実際の必要性に応じて、ベースバンド処理部、ＲＦ処理部などのデバイスを含んでもよく、関連情報の伝送に用いられる。
【０１３２】
具体的に、
プロセッサ３１２は、ユーザ機器ＵＥから送信される近隣通信サービス要求を受信する。
プロセッサ３１２は、ＵＥが近隣通信サービス契約時に取得する近隣通信サービスＩＤを確定する。
プロセッサ３１２は、ＵＥの近隣通信サービスＩＤに基づいて、近隣通信サービスを実現する。
【０１３３】
プロセッサ３１２は、ＵＥから送信される近隣通信サービス要求に付帯される近隣通信サービスＩＤを取得し、又は、ＵＥから送信される近隣通信サービス要求に付帯されるアプリケーションレイヤのユーザＩＤに基づいて、ＵＥが近隣通信サービス契約時に取得する近隣通信サービスＩＤを確定する。
【０１３４】
ＵＥが近隣通信サービス契約時に取得する近隣通信サービスＩＤは、ＵＥの契約情報とバインディングされ、ＵＥの契約情報に格納される。
【０１３５】
当該装置が具体的にアプリケーションサーバである場合に、プロセッサ３１２は、ＵＥから特定のアプリケーションにより送信される近隣通信サービス要求を受信し、ＵＥの近隣通信サービスＩＤに基づいて、対応する近隣通信サーバを選択して当該ＵＥの近隣通信サービスを実現させる。
【０１３６】
プロセッサ３１２は、ＵＥから特定のアプリケーションにより送信される近隣ユーザ探索の要求を受信し、ＵＥの位置又は登録されたＩＰアドレスに基づいて、設定範囲内のユーザを探索し、探索したユーザのユーザＩＤを確定し、又は、受信した近隣ユーザ探索の要求に基づいて、探索されるユーザのユーザＩＤを確定し、ユーザＩＤに基づいて、探索したユーザの近隣通信サービスＩＤを確定し、ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信し、発見結果をＵＥに送信する。
【０１３７】
プロセッサ３１２は、ＵＥから特定のアプリケーションにより送信される近隣通信サービス確立要求を受信し、相手ＵＥのユーザＩＤに基づいて、対応する近隣通信サービスＩＤを確定し、ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立し、当該ＵＥの近隣通信サービスサーバから返信される近隣通信接続確立成功メッセージを受信し、近隣通信接続確立成功メッセージを端末に返信する。
【０１３８】
装置が近隣通信サービスサーバである場合に、プロセッサ３１２は、ＵＥから送信される近隣通信サービス要求を受信し、又は、ＭＭＥ／ＳＧＳＮがＵＥから送信される近隣通信サービス要求を受信してから転送する近隣通信サービス要求を受信し、ＵＥの近隣通信サービスＩＤに基づいて、当該ＵＥの近隣通信サービスを実現する。
【０１３９】
プロセッサ３１２は、ＵＥから送信され、当該ＵＥの近隣通信サービスＩＤ、相手ＵＥの近隣通信サービスＩＤ、及び探索開始用アプリケーションＩＤが付帯されるユーザ探索要求を受信し、アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、２つの端末の位置に基づいて、相手ＵＥの被発見可否の確定後に、ＵＥに発見結果を返信する。
【０１４０】
プロセッサ３１２は、ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信し、相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信し、２つの端末の位置に基づいて、相手ＵＥの被発見可否の確定後に、ＵＥに発見結果を返信する。
【０１４１】
プロセッサ３１２は、ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信し、近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、近隣通信接続確立成功メッセージをＵＥに返信する。
【０１４２】
プロセッサ３１２は、ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信し、相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得し、近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信し、当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立し、近隣通信接続確立成功メッセージをＵＥに返信する。
【０１４３】
プロセッサ３１２は、当該ＵＥと相手ＵＥの間で近隣通信接続の確立条件が満たされると確定することは、具体的に、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定することを含む。
【０１４４】
プロセッサ３１２は、近隣通信接続の確立に必要とする資源を当該ＵＥと相手ＵＥに割り当てるようにネットワークに要求して近隣通信接続を確立することは、具体的に、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することとを含む。
【０１４５】
本発明の実施例は、近隣通信サービスの実現方法及び装置を提供する。ＵＥが契約するときに、近隣通信サービスＩＤがＵＥに割り当てられる。このように、ＵＥから送信される近隣通信サービス要求の受信後に、ＵＥの近隣通信サービスＩＤが確定され、それからＵＥの近隣通信サービスＩＤに基づいて近隣通信サービスが実現されることにより、ネットワークにおいてユーザのアプリケーションレイヤＩＤに基づいてＵＥの３ＧＰＰネットワーク内ＩＤを確定できず近隣通信サービスができないことが避けられ、ＵＥの近隣通信サービスが実現される。
【０１４６】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１４７】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１４８】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１４９】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１５０】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１５１】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2016515780.tif 000003
【図２ａ】
2016515780.tif 000004
【図２ｂ】
2016515780.tif 000005
【図３】
2016515780.tif 000006
【図４】
2016515780.tif 000007
【図５】
2016515780.tif 000008
【図６】
2016515780.tif 000009
【図７】
2016515780.tif 000010
【図８】
2016515780.tif 000011
【図９】
2016515780.tif 000012
【図１０】
2016515780.tif 000013
【図１１】
2016515780.tif 000014
【図１２】
2016515780.tif 000015
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することと
を含むことを特徴とする近隣通信サービスの実現方法。
【請求項２】
前記ＵＥから送信される近隣通信サービス要求に基づいて、前記ＵＥが近隣通信サービス契約時に取得する近隣通信サービスＩＤを確定することは、具体的に、
ＵＥから送信される近隣通信サービス要求に付帯される近隣通信サービスＩＤを取得すること、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定すること
を含むことを特徴とする請求項１に記載の方法。
【請求項３】
前記ＵＥが近隣通信サービス契約時に取得する近隣通信サービスＩＤは、ＵＥの契約情報とバインディングされ、ＵＥの契約情報に格納されることを特徴とする請求項１に記載の方法。
【請求項４】
ユーザ機器ＵＥから送信される近隣通信サービス要求を受信することは、具体的に、
アプリケーションサーバは、ＵＥから特定のアプリケーションにより送信される近隣通信サービス要求を受信することを含み、
前記ＵＥの近隣通信サービスＩＤに基づいて、近隣通信サービスを実現することは、具体的に、
アプリケーションサーバは、前記ＵＥの近隣通信サービスＩＤに基づいて、対応する近隣通信サーバを選択して当該ＵＥの近隣通信サービスを実現させることを含むことを特徴とする請求項１に記載の方法。
【請求項５】
前記アプリケーションサーバは、ＵＥから具体特定のアプリケーションにより送信される近隣通信サービス要求を受信することは、具体的に、
アプリケーションサーバは、ＵＥから特定のアプリケーションにより送信される近隣ユーザ探索の要求を受信することを含み、
前記ＵＥの近隣通信サービスＩＤに基づいて、近隣通信サービスを実現することは、具体的に、
アプリケーションサーバは、
前記ＵＥの位置又は登録されたＩＰアドレスに基づいて、設定範囲内のユーザを探索し、探索したユーザのユーザＩＤを確定すること、又は、受信した近隣ユーザ探索の要求に基づいて、探索されるユーザのユーザＩＤを確定することと、
前記ユーザＩＤに基づいて、探索したユーザの近隣通信サービスＩＤを確定することと、
前記ＵＥの近隣通信サービスＩＤに基づいて、当該ＵＥの近隣通信サービスサーバを確定し、当該ＵＥの近隣通信サービスサーバにより、当該ＵＥが近隣ユーザ探索権限を有することを確定し、そして、当該ＵＥの近隣通信サービスサーバにより、探索したＵＥの近隣通信サービスＩＤに基づいて、対応する近隣通信サービスサーバを探し、これらの近隣通信サービスサーバに発見要求を送信し、そして、各近隣通信サービスサーバから、対応ユーザの被発見許可の確定後に返信される対応ユーザの位置情報を、当該ＵＥの近隣通信サービスサーバが受信してから返信する発見結果を受信することと、
前記発見結果を前記ＵＥに送信することと
を含むことを特徴とする請求項４に記載の方法。
【請求項６】
前記アプリケーションサーバは、ＵＥから特定のアプリケーションにより送信される近隣通信サービス要求を受信することは、具体的に、
アプリケーションサーバは、ＵＥから特定のアプリケーションにより送信される近隣通信サービス確立要求を受信することを含み、
前記ＵＥの近隣通信サービスＩＤに基づいて、近隣通信サービスを実現することは、具体的に、
アプリケーションサーバは、
相手ＵＥのユーザＩＤに基づいて、対応する近隣通信サービスＩＤを確定することと、
前記ＵＥの近隣通信サービスＩＤに基づいて、当該ＵＥの近隣通信サービスサーバを確定し、当該ＵＥの近隣通信サービスサーバに近隣通信サービス接続要求を送信し、当該ＵＥの近隣通信サービスサーバにより、当該ＵＥと相手ＵＥの間で近隣通信接続の確立条件が満たされると確定してから、近隣通信接続の確立に必要とする資源を当該ＵＥと相手ＵＥに割り当てるようにネットワークに要求して近隣通信接続を確立することと、
当該ＵＥの近隣通信サービスサーバから返信される近隣通信接続確立成功メッセージを受信することと、
近隣通信接続確立成功メッセージを端末に返信することと
を含むことを特徴とする請求項４に記載の方法。
【請求項７】
当該ＵＥの近隣通信サービスサーバにより、当該ＵＥと相手ＵＥの間で近隣通信接続の確立条件が満たされると確定することは、具体的に、
当該ＵＥの近隣通信サービスサーバは、当該ＵＥと相手ＵＥの間で近隣通信接続が確立されていると確定すること、
又は、
当該ＵＥの近隣通信サービスサーバは、ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバにより、相手ＵＥが近隣通信サービス確立権限を有すると確定してから、相手ＵＥの位置情報を当該ＵＥの近隣通信サービスサーバに返信し、当該ＵＥの近隣通信サービスサーバにより、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項６に記載の方法。
【請求項８】
当該ＵＥの近隣通信サービスサーバにより、近隣通信接続の確立に必要とする資源を当該ＵＥと相手ＵＥに割り当てるようにネットワークに要求して近隣通信接続を確立することは、具体的に、
当該ＵＥの近隣通信サービスサーバは、当該ＵＥの所属する移動管理実体ＭＭＥに近隣通信サービス接続要求を送信し、当該ＵＥの所属するＭＭＥにより、近隣通信接続の確立に必要とする資源を当該ＵＥに割り当てるようにネットワークに要求し、割り当てられる近隣通信接続確立用情報を当該ＵＥの近隣通信サービスサーバに返信し、当該ＵＥの近隣通信サービスサーバにより、当該ＵＥに割り当てられる近隣通信接続確立用情報が付帯される近隣通信サービス接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立すること
を含むことを特徴とする請求項６に記載の方法。
【請求項９】
ＵＥから送信される近隣通信サービス要求を受信することは、具体的に、
近隣通信サービスサーバは、
ＵＥから送信される近隣通信サービス要求を受信すること、又は、ＭＭＥがＵＥから送信される近隣通信サービス要求を受信してから転送する近隣通信サービス要求を受信すること
を含み、
前記ＵＥの近隣通信サービスＩＤに基づいて、近隣通信サービスＩＤを実現することは、具体的に、
前記近隣通信サービスサーバは、
前記ＵＥの近隣通信サービスＩＤに基づいて、当該ＵＥの近隣通信サービスを実現することを含むことを特徴とする請求項１に記載の方法。
【請求項１０】
前記近隣通信サービスサーバは、ＵＥから直接送信される近隣通信サービス要求を受信することは、具体的に、
前記近隣通信サービスサーバは、
ＵＥから送信され、当該ＵＥの近隣通信サービスＩＤ、相手ＵＥの近隣通信サービスＩＤ、及び探索開始用アプリケーションＩＤが付帯されるユーザ探索要求を受信することを含み、
前記近隣通信サービスサーバは、前記ＵＥの近隣通信サービスＩＤに基づいて、当該ＵＥの近隣通信サービスを実現することは、具体的に、
近隣通信サービスサーバは、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信することと、
２つの端末の位置に基づいて、相手ＵＥの被発見可否の確定後に、前記ＵＥに発見結果を返信することと
を含むことを特徴とする請求項９に記載の方法。
【請求項１１】
前記近隣通信サービスサーバは、ＵＥから直接送信される近隣通信サービス要求を受信することは、具体的に、
前記近隣通信サービスサーバは、ＵＥから送信され、当該ＵＥの近隣通信サービスＩＤ、相手ＵＥのアプリケーションレイヤのユーザＩＤ、及び探索開始用アプリケーションＩＤが付帯されるユーザ探索要求を受信することを含み、
前記近隣通信サービスサーバは、前記ＵＥの近隣通信サービスＩＤに基づいて当該ＵＥの近隣通信サービスを実現することは、具体的に、
近隣通信サービスサーバは、
相手ＵＥのアプリケーションレイヤのユーザＩＤに基づいて、ＤＮＳ（Ｄｏｍａｉｎ  Ｎａｍｅ  Ｓｅｒｖｅｒ）  Ｓｅｒｖｅｒに照会し、又は、アプリケーションＩＤで示すアプリケーションサーバに基づいて、相手ＵＥの近隣通信サービスＩＤを取得することと、
アプリケーションＩＤに基づいて、当該アプリケーションによる近隣通信サービスの利用可と判断してから、ユーザ探索要求を相手ＵＥの近隣通信サービスサーバに送信し、当該ＵＥの近隣通信サービスサーバにより、相手ＵＥの近隣通信サービスサーバが相手ＵＥの近隣通信サービスＩＤに基づいて相手ＵＥの被発見許可の確定後に返信される相手ＵＥの現在位置を受信することと、
２つの端末の位置に基づいて、相手ＵＥの被発見可否の確定後に、前記ＵＥに発見結果を返信することと
を含むことを特徴とする請求項９に記載の方法。
【請求項１２】
前記近隣通信サービスサーバは、ＵＥから送信される近隣通信サービス要求を受信することは、具体的に、
前記近隣通信サービスサーバは、ＵＥから送信され、当該ＵＥの近隣通信サービスＩＤ、相手ＵＥの近隣通信サービスＩＤ、及び近隣通信サービスの確立開始用アプリケーションＩＤが付帯される近隣通信サービス確立要求を受信することを含み、
前記近隣通信サービスサーバは、前記ＵＥの近隣通信サービスＩＤに基づいて当該ＵＥの近隣通信サービスを実現することは、具体的に、
近隣通信サービスサーバは、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信することと、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立することと、
近隣通信接続確立成功メッセージをＵＥに返信することと
を含むことを特徴とする請求項９に記載の方法。
【請求項１３】
前記近隣通信サービスサーバは、ＵＥから直接送信される近隣通信サービス確立要求を受信することは、具体的に、
前記近隣通信サービスサーバは、
ＵＥから送信され、当該ＵＥの近隣通信サービスＩＤ、相手ＵＥのアプリケーションレイヤのユーザＩＤ、及び近隣通信サービス確立開始用アプリケーションＩＤが付帯される近隣通信サービス確立要求を受信することを含み、
前記近隣通信サービスサーバは、前記ＵＥの近隣通信サービスＩＤに基づいて、当該ＵＥの近隣通信サービスを実現することは、具体的に、
近隣通信サービスサーバは、
相手ＵＥのアプリケーションレイヤのユーザＩＤに基づいて、ＤＮＳ  Ｓｅｒｖｅｒに照会し、又は、アプリケーションＩＤで示すアプリケーションサーバに基づいて、相手ＵＥの近隣通信サービスＩＤを取得することと、
近隣通信サービス確立要求を相手ＵＥの近隣通信サービスサーバに送信し、当該ＵＥの近隣通信サービスサーバにより、相手ＵＥの近隣通信サービスサーバから相手ＵＥの近隣通信接続が確立可能であると確定してから返信される相手ＵＥの現在位置を受信することと、
当該ＵＥと相手ＵＥとの間で近隣通信接続の確立条件が満たされると確定してから、当該ＵＥの近隣通信サービスサーバにより、近隣通信接続確立に必要とする資源を当該ＵＥと相手ＵＥに割り当てるようにネットワークに要求して近隣通信接続を確立することと、
近隣通信接続確立成功メッセージをＵＥに返信することと
を含むことを特徴とする請求項９に記載の方法。
【請求項１４】
前記近隣通信サービスサーバにより、当該ＵＥと相手ＵＥの間で近隣通信接続の確立条件が満たされると確定することは、具体的に、
前記近隣通信サービスサーバは、
当該ＵＥと相手ＵＥの間で近隣通信接続が確立されていると確定すること、
又は、
ＵＥが近隣通信サービス確立権限を有すると確定してから、相手ＵＥの近隣通信サービスＩＤに基づいて、対応する近隣通信サービスサーバを探し、当該近隣通信サービスサーバに発見要求を送信し、相手ＵＥの近隣通信サービスサーバから、相手ＵＥが近隣通信サービス確立権限を有するとの確定後に返信される相手ＵＥの位置情報を受信し、当該ＵＥの近隣通信サービス契約情報と位置情報、相手ＵＥの位置情報に基づいて、当該ＵＥと相手ＵＥの間で近隣通信接続が確立可能であると確定すること
を含むことを特徴とする請求項１２又は１３に記載の方法。
【請求項１５】
前記近隣通信サービスサーバにより、近隣通信接続の確立に必要とする資源を当該ＵＥと相手ＵＥに割り当てるようにネットワークに要求して近隣通信接続を確立することは、具体的に、
前記近隣通信サービスサーバは、
近隣通信接続が確立可能であると確定してから、当該ＵＥのＭＭＥに近隣通信接続要求を送信し、当該ＵＥのＭＭＥにより、近隣通信接続の確立に必要とする資源を当該ＵＥに割り当てるようにネットワークに要求し、前記ＭＭＥから返信される近隣通信接続確立用情報を受信することと、
当該ＵＥに割り当てられる近隣通信接続確立用情報が付帯される近隣通信接続要求を相手ＵＥの近隣通信サービスサーバに送信し、相手ＵＥの近隣通信サービスサーバにより、近隣通信接続の確立に必要とする資源を相手ＵＥに割り当てるようにネットワークに要求して近隣通信接続を確立することと
を含むことを特徴とする請求項１２又は１３に記載の方法。
【請求項１６】
ユーザ機器ＵＥから送信される近隣通信サービス要求を受信するための受信ユニットと、
前記ＵＥから送信される近隣通信サービス要求に基づいて、前記ＵＥが近隣通信サービス契約時に取得する近隣通信サービスＩＤを確定するための確定ユニットと、
前記ＵＥの近隣通信サービスＩＤに基づいて、近隣通信サービスを実現するための処理ユニットと
を含むことを特徴とする近隣通信サービスの実現装置。
【請求項１７】
前記確定ユニットは、具体的に、
ＵＥから送信される近隣通信サービス要求に付帯される近隣通信サービスＩＤを取得し、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定することを特徴とする請求項１６に記載の装置。
【請求項１８】
前記ＵＥが近隣通信サービス契約時に取得する近隣通信サービスＩＤは、ＵＥの契約情報とバインディングされ、ＵＥの契約情報に格納されることを特徴とする請求項１６に記載の装置。
【請求項１９】
前記装置が特定のアプリケーションサーバである場合に、前記受信ユニットは、具体的に、
ＵＥから特定のアプリケーションにより送信される近隣通信サービス要求を受信し、
前記処理ユニットは、具体的に、
前記ＵＥの近隣通信サービスＩＤに基づいて、対応する近隣通信サーバを選択して当該ＵＥの近隣通信サービスを実現させることを特徴とする請求項１６に記載の装置。
【請求項２０】
前記装置が近隣通信サービスサーバである場合に、前記受信ユニットは、具体的に、
ＵＥから送信される近隣通信サービス要求を受信し、又は、ＭＭＥ／ＳＧＳＮがＵＥから送信される近隣通信サービス要求を受信してから転送する近隣通信サービス要求を受信し、
前記処理ユニットは、具体的に、
前記ＵＥの近隣通信サービスＩＤに基づいて、当該ＵＥの近隣通信サービスを実現することを特徴とする請求項１６に記載の装置。
【請求項２１】
ユーザ機器ＵＥから送信される近隣通信サービス要求を受信することと、
前記ＵＥから送信される近隣通信サービス要求に基づいて、前記ＵＥが近隣通信サービス契約時に取得する近隣通信サービスＩＤを確定することと、
前記ＵＥの近隣通信サービスＩＤに基づいて、近隣通信サービスを実現することを実行するためのコンピュータプログラムが配置されるプロセッサと、
当該コンピュータプログラムのコードを格納するためのメモリと
を含むことを特徴とする近隣通信サービスの実現装置。
【請求項２２】
前記プロセッサは、具体的に、
ＵＥから送信される近隣通信サービス要求に付帯される近隣通信サービスＩＤを取得し、
又は、
ＵＥから送信される近隣通信サービス要求に付帯されるアプリケーションレイヤのユーザＩＤに基づいて、前記ＵＥが近隣通信サービス契約時に取得する近隣通信サービスＩＤを確定することを特徴とする請求項２１に記載の装置。
【請求項２３】
前記ＵＥが近隣通信サービス契約時に取得する近隣通信サービスＩＤは、ＵＥの契約情報とバインディングされ、ＵＥの契約情報に格納されることを特徴とする請求項２１に記載の装置。
【請求項２４】
前記装置が特定のアプリケーションサーバである場合に、前記プロセッサは、具体的に、
ＵＥから特定のアプリケーションにより送信される近隣通信サービス要求を受信し、
前記ＵＥの近隣通信サービスＩＤに基づいて、対応する近隣通信サーバを選択して当該ＵＥの近隣通信サービスを実現させることを特徴とする請求項２１に記載の装置。
【請求項２５】
前記装置が近隣通信サービスサーバである場合に、前記プロセッサは、具体的に、
ＵＥから送信される近隣通信サービス要求を受信し、又は、ＭＭＥ／ＳＧＳＮがＵＥから送信される近隣通信サービス要求を受信してから転送する近隣通信サービス要求を受信し、
前記ＵＥの近隣通信サービスＩＤに基づいて、当該ＵＥの近隣通信サービスを実現することを特徴とする請求項２１に記載の装置。
【国際調査報告】
2016515780.tif 000016
2016515780.tif 000017
2016515780.tif 000018
2016515780.tif 000019